(57)【要約】  本開示は、無線通信装置と無線通信方法とに関する。一実施例によるユーザ機器側に用いられる無線通信装置は一つ又は複数のプロセッサを含んでいる。プロセッサは、他のユーザ機器からの同期信号に付加された、他のユーザ機器の、第１のタイプ及び第２のタイプ含むタイプに関する指示情報を確定するように配置されている。プロセッサは、さらに、指示情報に基づいて当該他のユーザ機器に対するユーザ機器の相応するデバイス・ツー・デバイス通信操作を確定するように配置されている。  【選択図】図１
2018519693.tif 000002
【特許請求の範囲】
【請求項１】
ユーザ機器側に用いられる無線通信装置であって、
他のユーザ機器からの同期信号に付加された前記他のユーザ機器の、第１のタイプ及び第２のタイプを含むタイプに関する指示情報を確定し、
前記指示情報に基づいて、当該他のユーザ機器に対する前記ユーザ機器の相応するデバイス・ツー・デバイス通信操作を確定するように配置されている一つ又は複数のプロセッサを含む無線通信装置。
【請求項２】
前記一つ又は複数のプロセッサは、前記同期信号に応じて、それに含まれている同期信号配列を確定するとともに、前記同期信号配列に対応するルートインデックスに基づいて、前記他のユーザ機器が第１のタイプの機器であるか第２のタイプの機器であるかを確定するように配置されている請求項１に記載の無線通信装置。
【請求項３】
前記第２のタイプを有する第２のタイプの機器は、デバイス・ツー・デバイス通信において、前記第１のタイプを有する第１のタイプの機器の中継により通信サービスを得ることができ、前記一つ又は複数のプロセッサは、前記指示情報に基づいて、前記他のユーザ機器が前記第１のタイプの機器であると確定した場合に前記他のユーザ機器に対するアクセス要求情報を生成するように配置されている請求項２に記載の無線通信装置。
【請求項４】
前記第１のタイプを有する第１のタイプの機器は、デバイス・ツー・デバイス通信において、前記第２のタイプを有する第２のタイプの機器の同期参照とすることができ、前記一つ又は複数のプロセッサは、前記指示情報に基づいて、前記他のユーザ機器が第１のタイプの機器であると確定した場合に前記他のユーザ機器と同期を行うように配置されている請求項２に記載の無線通信装置。
【請求項５】
前記第１のタイプを有する第１のタイプの機器が伝送するデバイス・ツー・デバイス通信内容は、前記第２のタイプを有する第２のタイプの機器の通信内容より優先度が高く、前記一つ又は複数のプロセッサは、前記指示情報に基づいて、前記他のユーザ機器が第１のタイプの機器であると確定した場合に、前記他のユーザ機器が伝送するデータを優先して読み取るように配置されている請求項２に記載の無線通信装置。
【請求項６】
前記一つ又は複数のプロセッサは、前記他のユーザ機器が免許不要帯域での同期信号に付加された前記指示情報を確定するように配置され、前記同期信号配列に対応するルートインデックスは、セルに用いられる同期信号配列に対応するルートインデックスを含んでいる請求項２〜５のいずれか一項に記載の無線通信装置。
【請求項７】
前記一つ又は複数のプロセッサは、前記同期信号に基づいて、前記他のユーザ機器のモニタタイミングを確定して、前記モニタタイミングに応じて前記アクセス要求情報の送信を制御するために用いられるように配置されている請求項３に記載の無線通信装置。
【請求項８】
前記モニタタイミングは、前記同期信号のタイミングから所定の時間間隔の後に確定される請求項７に記載の無線通信装置。
【請求項９】
前記一つ又は複数のプロセッサは、
前記他のユーザ機器の前記同期信号に基づいて前記他のユーザ機器の識別子を確定し、
前記他のユーザ機器の識別子に基づいて前記所定の時間間隔を確定するように配置されている請求項８に記載の無線通信装置。
【請求項１０】
前記一つ又は複数のプロセッサは、前記他のユーザ機器の前記同期信号に基づいて前記他のユーザ機器の識別子を確定するように配置され、
生成したアクセス要求情報は、前記他のユーザ機器の識別子を含んでいる請求項３に記載の無線通信装置。
【請求項１１】
前記無線通信装置は、前記ユーザ機器として作動し、
前記無線通信装置は、免許不要帯域で前記他のユーザ機器からの同期信号を受信するように配置されている送受信装置をさらに含む請求項１−５のいずれか一項に記載の無線通信装置。
【請求項１２】
前記一つ又は複数のプロセッサは、サービングセルからのブロードキャスト情報に応じて前記免許不要帯域を確定するように配置されている請求項１１に記載の無線通信装置。
【請求項１３】
前記ユーザ機器と前記他のユーザ機器とは異なるオペレーターに属する請求項１−５のいずれか一項に記載の無線通信装置。
【請求項１４】
前記通信サービスは、セルラネットワークへの接続、及び無線ネットワークへの接続を含む請求項３に記載の無線通信装置。
【請求項１５】
前記一つ又は複数のプロセッサは、アクティベーション要求情報を生成して、前記ユーザを第２のタイプの機器として指定するようにサービングセルに要求するために用いられるように配置されている請求項３に記載の無線通信装置。
【請求項１６】
前記アクティベーション要求情報は、前記ユーザ機器の機器識別子と、前記ユーザ機器の位置情報とを含んでいる請求項１５に記載の無線通信装置。
【請求項１７】
前記ユーザ機器はサービング基地局のカバー範囲以外に位置している場合に、前記一つ又は複数のプロセッサは、所定のルートインデックス集合からルートインデックスを選択し、当該ルートインデックスに基づいて前記ユーザ機器の同期信号を生成するように配置されている請求項１−５のいずれか一項に記載の無線通信装置。
【請求項１８】
前記一つ又は複数のプロセッサは、前記ユーザ機器の通信品質が所定のレベルより低い場合に、前記他のユーザ機器の同期信号の検出をトリガーするように配置されている請求項１−５のいずれか一項に記載の無線通信装置。
【請求項１９】
前記一つ又は複数のプロセッサは、複数のアクセス可能なユーザ機器がある場合に、
アクセス可能なユーザ機器が中継する通信サービスのタイプと、
アクセス可能なユーザ機器のネットワーク接続品質と、
アクセス可能なユーザ機器との間の距離と、
アクセス可能なユーザ機器からの信号の品質と、のうち一つ又は複数に基づいて、アクセスしようとするユーザ機器を確定するように配置されている請求項１−５のいずれか一項に記載の無線通信装置。
【請求項２０】
ユーザ機器側で行われる無線通信方法であって、
他のユーザ機器からの同期信号に付加された前記他のユーザ機器の、第１のタイプ及び第２のタイプを含むタイプに関する指示情報を確定し、
前記指示情報に基づいて、前記当該他のユーザ機器に対する前記ユーザ機器の相応するデバイス・ツー・デバイス通信操作を確定することを含む無線通信装置。
【請求項２１】
ユーザ機器側に用いられる無線通信装置であって、
前記ユーザ機器のデバイス・ツー・デバイス通信ニーズと、前記ユーザ機器の、第１のタイプ及び第２のタイプを含むタイプとを確定し、
前記ユーザ機器のタイプに基づいて、デバイス・ツー・デバイス通信に用いられる、当該ユーザ機器のタイプに関する指示情報が付加された同期信号を生成するように配置されている一つ又は複数のプロセッサを含む無線通信装置。
【請求項２２】
異なるタイプのユーザ機器が生成した同期信号に含まれている同期信号配列に対応するルートインデックスは、異なる集合に属する請求項２１に記載の無線通信装置。
【請求項２３】
前記第２のタイプを有する第２のタイプの機器は、デバイス・ツー・デバイス通信において、前記第１のタイプを有する第１のタイプの機器の中継により通信サービスを得ることができる請求項２２に記載の無線通信装置。
【請求項２４】
前記第１のタイプを有する第１のタイプの機器は、デバイス・ツー・デバイス通信において前記第２のタイプを有する第２のタイプの機器の同期参照とすることができる請求項２２に記載の無線通信装置。
【請求項２５】
前記第１のタイプを有する第１のタイプの機器が伝送するデバイス・ツー・デバイス通信内容は、前記第２のタイプを有する第２のタイプの機器の通信内容の優先度より高い請求項２２に記載の無線通信装置。
【請求項２６】
前記ユーザ機器がサービング基地局のカバー範囲以外に位置している場合に、前記一つ又は複数のプロセッサは、前記ユーザ機器のタイプに対応するルートインデックス集合からルートインデックスを選択し、当該ルートインデックスに基づいて前記ユーザ機器の同期信号を生成するように配置されている請求項２２に記載の無線通信装置。
【請求項２７】
前記ユーザ機器がサービング基地局のカバー範囲内に位置している場合に、前記一つ又は複数のプロセッサは、アクティベーション要求情報を生成するように配置され、前記アクティベーション要求情報は、前記ユーザ機器へ前記ルートインデックスに関する情報を提供するようにサービングセルに要求するために用いられる請求項２２に記載の無線通信装置。
【請求項２８】
前記一つ又は複数のプロセッサは、免許不要帯域に用いられる前記同期信号の生成を確定するように配置され、前記同期信号配列に対応するルートインデックスは、セルに用いられる同期信号配列に対応するルートインデックスを含んでいる請求項２３−２７のいずれか一項に記載の無線通信装置。
【請求項２９】
前記一つ又は複数のプロセッサは、ユーザの指令に応じて前記アクティベーション要求情報を生成するように配置されている請求項２７に記載の無線通信装置。
【請求項３０】
前記アクティベーション要求情報は、前記ユーザ機器の機器識別子と、前記ユーザ機器のタイプと、前記ユーザ機器の位置情報とのうち少なくとも一つを含む請求項２７に記載の無線通信装置。
【請求項３１】
前記一つ又は複数のプロセッサは、前記アクティベーション要求情報を無線リソース制御シグナリングに含ませるように配置されている請求項２７に記載の無線通信装置。
【請求項３２】
免許不要帯域で、生成した同期信号を送信し、前記他のユーザ機器の同期信号を検出するように配置されている送受信装置をさらに含む請求項２１に記載の無線通信装置。
【請求項３３】
前記送受信装置は、所定の時間間隔で、生成した同期信号の送信と、前記他のユーザ機器の同期信号の検出を行うように配置されている請求項２２に記載の無線通信装置。
【請求項３４】
前記一つ又は複数のプロセッサは、前記アクセス要求情報に応答して、所定のスレーブ機器リストに基づいて、前記他のユーザ機器を、サービングされるスレーブ機器とするかどうかを確定するように配置されている請求項２１に記載の無線通信装置。
【請求項３５】
前記一つ又は複数のプロセッサは、さらに、前記ユーザ機器が得られた前記通信サービスのサービス品質を推定するように配置され、
前記アクティベーション要求情報には、推定されたサービス品質が含まれている請求項２７に記載の無線通信装置。
【請求項３６】
ユーザ機器側で行われる無線通信方法であって、
前記ユーザ機器のデバイス・ツー・デバイス通信ニーズと、前記ユーザ機器の、第１のタイプ及び第２のタイプを含むタイプとを確定し、
前記ユーザ機器のタイプに基づいてデバイス・ツー・デバイス通信に用いられる、当該ユーザ機器のタイプに関する指示情報が付加された同期信号を生成する無線通信方法。
【請求項３７】
基地局側に用いられる無線通信装置であって、
前記基地局がサービングするユーザ機器のタイプを確定し、
前記ユーザ機器のタイプに基づいて、前記ユーザ機器のためにそれが利用可能な同期信号配列に対応するルートインデックスに関する情報を確定するように配置されている一つ又は複数のプロセッサを含み、
前記タイプは、第１のタイプ及び第２のタイプを含み、異なるタイプのユーザ機器が利用可能な同期信号ルートインデックスは異なる集合に属する無線通信装置。
【請求項３８】
前記一つ又は複数のプロセッサは、ユーザ機器のタイプに基づいて、免許不要帯域で作動しているユーザ機器のために前記ルートインデックスに関する情報を確定するように配置され、前記同期信号配列に対応するルートインデックスはセルに用いられる同期信号配列に対応するルートインデックスを含んでいる請求項３７に記載の無線通信装置。
【請求項３９】
前記一つ又は複数のプロセッサは、ユーザ機器からのアクティベーション要求情報に基づき、又はネットワーク負荷に応じて、ユーザ機器をマスタ機器又はスレーブ機器として指定するように配置され、前記スレーブ機器は、デバイス・ツー・デバイス通信プロセスで前記マスタ機器の中継により通信サービスを得る請求項３７に記載の無線通信装置。
【請求項４０】
前記一つ又は複数のプロセッサは、
サービングセル及びマスタ機器となることを要求するユーザ機器が共有帯域の使用権を有するかと、
サービングセルのうち既存のマスタ機器の数と、
マスタ機器となることを要求するユーザ機器が得られた通信サービスのサービス品質と、の一つ又は複数に応じて、マスタ機器となることを要求するユーザ機器をマスタ機器として指定するかどうかを確定するように配置されている請求項３９に記載の無線通信装置。
【請求項４１】
前記一つ又は複数のプロセッサは、ネットワーク負荷が所定のレベルを超えた場合に、少なくとも一つのユーザ機器をスレーブ機器として確定するように配置され、当該スレーブ機器は、マスタ機器である他のユーザ機器の中継により無線ネットワークへの接続を得る請求項３９に記載の無線通信装置。
【請求項４２】
前記一つ又は複数のプロセッサは、さらに、
ユーザ機器の間でデバイス・ツー・デバイス通信を行う際に使用する免許不要帯域を確定するように配置されている請求項３７〜４１のいずれか一項に記載の無線通信装置。
【請求項４３】
ブロードキャスト情報によりユーザ機器へ、確定された免許不要帯域を通知するように配置されている送受信装置をさらに含む請求項４２に記載の無線通信装置。
【発明の詳細な説明】
【技術分野】
【０００１】
本開示は、一般に、無線通信分野に関し、より具体的に、ユーザ機器側に用いられる無線通信装置と無線通信方法、及び基地局側に用いられる無線通信装置と無線通信方法に関する。
【背景技術】
【０００２】
近接サービス（Ｐｒｏｘｉｍｉｔｙ  Ｓｅｒｖｉｃｅｓ：ＰｒｏＳｅ）は、３ＧＰＰシステムが距離の近いユーザ端末に基づいて一種のサービスを提供し、主に、近接機器発見、装置送信及びＵＥ−ｔｏ−Ｎｅｔｗｏｒｋ  Ｒｅｌａｙなどの機能をサポートするものである。ＵＥ−ｔｏ−Ｎｅｔｗｏｒｋ  Ｒｅｌａｙとは、例えば、ネットワーク中継ＵＥを利用してリモートＵＥにユニキャスト中継サービスを提供し、即ち、リモートＵＥはネットワーク中継ＵＥによりＰＤＮ（パケットデータネットワーク）との通信を実現する。また、ＵＥの間はデバイス・ツー・デバイス（Ｄ２Ｄ）通信により同期参照及び他の通信内容の伝搬を実現することができる。
【０００３】
Ｄ２Ｄ通信について、３ＧＰＰは、現在、主に装置発見及びブロードキャスト通信に注目している。機器発見のベースとして、Ｄ２Ｄ同期をサポートするために、Ｄ２Ｄ同期元はＤ２Ｄ同期信号（Ｄ２Ｄ  ｓｙｎｃｈｒｏｎｉｚａｔｉｏｎ  ｓｉｇｎａｌ：Ｄ２ＤＳＳ）を伝送する必要がある。
【発明の概要】
【課題を解決するための手段】
【０００４】
以下では、本発明に関する簡単な概説を説明して、本発明のある局面に関する基本的理解を提供する。この概説が本発明に関する取り尽くし的概説ではないと理解すべきである。それは、本発明の肝心又は重要部分を意図的に特定するものではなく、本発明の範囲を意図的に限定するものでもない。その目的は、簡素化の形式で、ある概念を提供して、後論述するより詳しい技術の前言とするものである。
【０００５】
一実施例によれば、一つ又は複数のプロセッサを含んでいるユーザ機器側に用いられる無線通信装置を提供する。プロセッサは、他のユーザ機器からの同期信号に付加された、他のユーザ機器の、第１のタイプ及び第２のタイプを含むタイプに関する指示情報を確定するように配置されている。プロセッサは、指示情報に基づいて当該他のユーザ機器に対するユーザ機器の相応するデバイス・ツー・デバイス通信操作を確定するように配置されている。
【０００６】
他の一実施例によれば、ユーザ機器側で行われる無線通信方法を提供する。当該方法は、他のユーザ機器からの同期信号に付加された当該他のユーザ機器の、第１のタイプ及び第２のタイプを含むタイプに関する指示情報を確定するステップを含んでいる。当該方法は、指示情報に基づいて当該他のユーザ機器に対するユーザ機器の相応するデバイス・ツー・デバイス通信操作を確定するステップをさらに含んでいる。
【０００７】
更なる一実施例によれば、一つ又は複数のプロセッサを含んでいるユーザ機器側に用いられる無線通信装置を提供する。プロセッサは、ユーザ機器のデバイス・ツー・デバイス通信ニーズ及びユーザ機器のタイプを確定するように配置されている。プロセッサは、さらに、ユーザ機器のタイプに基づいてデバイス・ツー・デバイス通信に用いられる同期信号を生成するように配置され、タイプは第１のタイプ及び第２のタイプを含み、同期信号は、当該ユーザ機器のタイプに関する指示情報が付加されている。
【０００８】
他の一実施例によれば、ユーザ機器側で行われる無線通信方法を提供する。当該方法は、ユーザ機器のデバイス・ツー・デバイス通信ニーズ及びユーザ機器のタイプを確定するステップを含んでいる。当該方法は、ユーザ機器のタイプに基づいてデバイス・ツー・デバイス通信に用いられる同期信号を生成するステップをさらに含み、タイプは第１のタイプ及び第２のタイプを含み、同期信号は、当該ユーザ機器のタイプに関する指示情報が付加されている。
【０００９】
更なる一実施例によれば、一つ又は複数のプロセッサを含んでいる、基地局側に用いられる無線通信装置を提供する。プロセッサは、基地局がサービングするユーザ機器のタイプを確定するように配置されている。プロセッサは、さらに、ユーザ機器のタイプに基づいて、ユーザ機器のためにそれが利用可能な同期信号配列に対応するルートインデックスに関する情報を確定するように配置されている。なお、タイプは第１のタイプ及び第２のタイプを含み、異なるタイプのユーザ機器が利用可能な同期信号ルートインデックスは異なる集合に属する。
【００１０】
本発明の実施例は、同期信号にユーザ機器のタイプに関する情報が付加され、タイプに応じて相応する操作を確定することにより、ユーザ機器の間の余分の情報交換プロセスを避けることができ、通信効率の向上に有益である。
【図面の簡単な説明】
【００１１】
本発明は、以下に図面と合わせて記載された説明を参照することによりよく理解できる。なお、全ての図面において、同一又は類似する部品を同一又は類似する符号で示している。前記図面は以下の詳細説明と共に本明細書に含まれ本明細書の一部として構成されており、更に例を挙げることにより本発明の好適な実施例を説明し、本発明の原理とメリットを解釈する。
【図１】本発明の一実施例による、ユーザ機器側に用いられる無線通信装置の配置例を示すブロック図である。
【図２】ＵＥ−ｔｏ−Ｎｅｔｗｏｒｋ  Ｒｅｌａｙを説明するための模式図である。
【図３】同期信号がこの構造における例示的配置を説明するための模式図である。
【図４】一実施例による、デバイス・ツー・デバイス通信を確立するためのアクセス要求情報のモニタリングタイミングを説明するための模式図である。
【図５】他の一実施例による、ユーザ機器側に用いられる無線通信装置の配置例を示すブロック図である。
【図６】一実施例による、ユーザ機器がサービングセルへアクティベーション要求を行う際にユーザ機器とサービングセルとの間の通信プロセスの例を説明するための模式図である
【図７】本発明の一実施例による、ユーザ機器側に用いられる無線通信方法のプロセス例を示すフローチャートである。
【図８】本発明の一実施例による、ユーザ機器側に用いられる無線通信装置の配置例を示すブロック図である。
【図９】一実施例による、ユーザ機器がサービングセルへアクティブ要求を行う際にユーザ機器とサービングセルとの通信プロセス例を説明するための模式図である。
【図１０】他の一実施例による、ユーザ機器側に用いられる無線通信装置の配置例を示すブロック図である。
【図１１】本発明の他の一実施例による、ユーザ機器側に用いられる無線通信方法のプロセス例を示すフローチャートである。
【図１２】本発明の他の一実施例による、基地局側に用いられる無線通信装置の配置例を示すブロック図である。
【図１３】一実施例による、基地局側に用いられる無線通信装置が行うユーザ機器に対するアクティベーション要求の処理を示すフローチャートである。
【図１４】他の一実施例による、基地局側に用いられる無線通信装置の配置例を示すブロック図である。
【図１５】本開示の方法と装置を実現するコンピュータの概略的構成を示すブロック図である。
【図１６】本開示の内容を応用できるスマートフォンの概略的構成を示すブロック図である。
【図１７】本開示の内容を応用できるｅＮＢ（進化型基地局）の概略的構成を示すブロック図である。
【図１８】本発明の一実施例による、ユーザ機器側に用いられる無線通信装置の配置例を示すブロック図である。
【図１９】本発明の他の一実施例による、ユーザ機器側に用いられる無線通信装置の配置例を示すブロック図である。
【図２０】本発明の一実施例による、基地局側に用いられる無線通信装置の配置例を示すブロック図である。
【発明を実施するための形態】
【００１２】
以下、図面を参照しながら本発明の実施例を説明する。本発明の一つの図面または一実施形態に記載の要素及び特徴は、一つ又はより多くのその他の図面又は実施形態に示された要素及び特徴と相互に結合することができる。なお、明瞭にするように、図面及び明細書において本発明と関係のない、当業者にとって公知の部品及び処理の表示及び記載が省略されたことを注意すべきである。
【００１３】
図１に示すように、本実施例による無線通信装置１００はプロセッサ１１０を含んでいる。なお、図面に独立した破線枠でプロセッサ１１０における第１の確定ユニット１１１と第２の確定ユニット１１３とを示しているが、第１の確定ユニット１１１と第２の確定ユニット１１３との機能は、プロセッサ１１０により全体として実現することもでき、必ずプロセッサ１１０のうち分ける実際の部品により実現されないと理解すべきである。また、図面に一つのブロックでプロセッサ１１０を示しているが、通信装置１００は複数のプロセッサを含むことができ、第１の確定ユニット１１１と第２の確定ユニット１１３との機能を複数のプロセッサに分散することができ、これにより、複数のプロセッサは連携しながら操作してこれらの機能を実行するようになる。
【００１４】
第１の確定ユニット１１１は、他のユーザ機器からの同期信号に付加された、当該他のユーザ機器のタイプに関する指示情報を確定するように配置され、なお、上記タイプは第１のタイプ及び第２のタイプを含むことができる。
【００１５】
具体的な応用によれば、上記第１のタイプと第２のタイプとは異なる具体的な意味を有することができる。例えば、後で具体的な実施例に基づいて説明するように、上記タイプは例えばＤ２Ｄ装置のうち中継サービスを提供する装置と提供しない装置、Ｄ２Ｄ通信に同期参照を提供する側と提供しない側、又はＤ２Ｄ通信に伝送する通信内容の優先度などに係り得る。以下では、Ｄ２Ｄ装置における中継サービスを提供する装置は、「中継側」、「中継装置」又は「中継ユーザ機器」などと称されてもよく、中継サービスを提供しない装置は、「被中継側」、「被中継装置」又は「被中継ユーザ機器」などと称されてもよく、しかし、指すべきことは、この説明は、ただ、Ｄ２Ｄ装置のうち中継サービスを提供すると提供しない装置を区分するためのものである。具体的に、「中継側」または類似する説明を言及する場合には、それが指す装置は、必ずしも、他のユーザ機器に中継サービスを提供している又は提供しようとすることではなく、例えば他のユーザ機器に中継サービスを提供する能力を有するユーザ機器を指してもよく、当該ユーザ機器は、同期信号を送信し、且つ、確立したＤ２Ｄ通信において中継サービスを提供する一方とする可能性があり、「被中継側」または類似する説明を言及する場合には、それが指す装置は、必ずしも、あるユーザ機器に中継サービスが提供されている又は提供されようとすることではなく、例えば、通常のＤ２Ｄ通信を行うことを所望するユーザ機器を指してもよく、当該ユーザ機器は同期信号を送信し且つ確立したＤ２Ｄ通信に中継される一方とする可能性がある。
【００１６】
尚、本実施例において二種のタイプを記述したが、本発明はこれに限定されず、他の実施例において、指示情報が指示するタイプは、三種又は三種以上を含んでもよい。例えば、Ｄ２Ｄ通信に伝送する通信内容の優先度に応じてタイプを確定する場合に、送信する通信内容の優先度に応じて（例えば、極重要、重要、一般など）に応じて、相応するユーザ機器は、三種又は三種以上のタイプの一つを有してもよい。
【００１７】
第２の確定ユニット１１３は、上記指示情報に基づいて、当該他のユーザ機器に対するユーザ機器の相応するＤ２Ｄ通信操作を確定するように配置されている。
【００１８】
類似して、具体的な応用に応じて、第２の確定ユニット１１３が確定する相応するＤ２Ｄ通信操作は上記タイプに対応してもよい。例えば、上記タイプがＤ２Ｄ装置における中継側と被中継側とに係る場合に、相応するＤ２Ｄ通信操作は、例えば、中継装置のアクセスを要求するか、被中継装置のアクセス要求を受け取るかに係ってもよく、上記タイプがＤ２Ｄ通信に同期参照を提供する一方と同期参照が提供される一方に係る場合に、相応するＤ２Ｄ通信操作は、例えば、同期参照としての一方と同期を行うかなどに係ってもよく、又は、上記タイプがＤ２Ｄ通信に伝送する通信内容の優先度に係る場合に、相応するＤ２Ｄ通信操作は、例えば、優先度が高い通信内容を優先して送信又は受信するなどに係ってもよい。しかし、本発明は上記の例に限定されないと理解すべきである。
【００１９】
上記実施形態によって、同期信号にユーザ機器のタイプ情報が付加され、タイプに応じて相応する操作を確定し、例えば、さらに機器のタイプを確定するために行われる他の情報交換の必要を省略でき、通信効率の向上に有益であり、例えば、シグナリングオーバーヘッドを低減し、通信を確立するのに必要な時間を短縮するようになる。
【００２０】
一つの具体的な実施例によれば、プロセッサ１１０（第１の確定ユニット１１１）は、同期信号に応じて、それに含まれている同期信号配列を確定し、同期信号配列に対応するルートインデックスに基づいて、他のユーザ機器が第１のタイプの機器であるか第２のタイプの機器であるかを確定するように配置されることができる。
【００２１】
幾つかの応用において、同期信号配列は、プライマリー同期信号（ＰＳＳ）配列とセカンダリー同期信号を含んでもよく、且つ、ＰＳＳ配列とＳＳＳ配列との組合せに応じて機器識別子、モニタタイミングなどの情報を唯一に確定してもよい。なお、同期信号配列はＰＳＳとＳＳＳ配列とを含んでいる場合に、ＰＳＳ配列のルートインデックスに応じて上記機器のタイプを確定してもよく、ＳＳＳ配列のルートインデックスに応じて上記機器のタイプを確定してもよい。
【００２２】
前で言及されたように、機器のタイプは、Ｄ２Ｄ装置における中継側と被中継側、Ｄ２Ｄ通信に同期参照を提供する一方と同期参照が提供される一方、又はＤ２Ｄ通信に伝送する通信内容の優先度などに係ってもよい。次に、それぞれ、これらの方面に対して本発明の例を説明する。
【００２３】
一実施例によれば、第２のタイプを有する第２のタイプの機器は、Ｄ２Ｄ通信において第１のタイプを有する第１のタイプの機器の中継により通信サービスを得ることができる。当該Ｄ２Ｄ通信は、例えば、ロング・ターム・エボリューション（ＬＴＥ）標準における近傍サービス直接通信（ＰｒｏＳｅＤｉｒｅｃｔＣｏｍｍｕｎｉｃａｔｉｏｎ）を含み、その中、当該Ｄ２Ｄは、Ｖ２Ｖ（ｖｅｈｉｃｌｅ−ｔｏ−ｖｅｈｉｃｌｅ  ）又はＶ２Ｘ（Ｖｅｈｉｃｌｅ  ｔｏ  Ｘ）通信を含んでもよい。
【００２４】
他のユーザ機器からの同期信号の指示情報に基づいて、当該他のユーザ機器が第１のタイプの機器（中継を提供する一方であり、以下でＰＵＥとなってもよい）であることを指示する場合に、プロセッサ１１０は、さらに、当該他のユーザ機器に対するアクセス要求情報を生成するように配置されてもよい。つまり、無線通信装置１００は、この場合に、当該他のユーザ機器へ要求を発行して被中継である一方（以下では、ＣＵＥとなってもよい）が当該他のユーザ機器を介してネットワークにアクセスするようにしてもよい。この場合に、第２の確定ユニット１１３は、当該他のユーザ機器に対するユーザ機器の相応するＤ２Ｄ通信操作が当該他のユーザ機器に対するアクセス要求を発行することを含むことができるように確定する。
【００２５】
他の一実施例によれば、第１のタイプを有する第１のタイプの機器は、Ｄ２Ｄ通信において第２のタイプを有する第２のタイプの機器の同期参照（例えば第３世代移動体通信システムの標準化プロジェクト３ＧＰＰ  ＴＳ  ３６．３００に言及されたように）となり得る。つまり、このような実施形態では、同期元となり得るかどうかに応じて機器のタイプを仕分け、例えば、予めＵＥにネットワークＩＤとタイムゾーン（ＮＩＴＺ）モジュール、ネットワーク・タイム・プロトコル（ＮＴＰ）モジュール又は全球測位衛星システム（ＧＮＳＳ）モジュールなどの精密なモジュールが配置されたかに応じて同期元の基準となり得るかどうかを評価してもよい。
【００２６】
相応して、指示情報に基づいて他のユーザ機器が第１のタイプの機器であると確定した場合に、プロセッサ１１０は、当該他のユーザ機器との同期を行うことを制御するように配置されることができる。つまり、この場合に、第２の確定ユニット１１３は、指示情報に基づいて、当該他のユーザ機器に対するユーザ機器の相応するＤ２Ｄ通信操作が当該他のユーザ機器を同期参照とする場合に行われる同期操作を含むことができるように確定する。
【００２７】
更なる一実施例によれば、第１のタイプの第１のタイプの機器が伝送するＤ２Ｄ通信内容は、第２のタイプを有する第２のタイプの機器の通信内容の優先度と比べてより高くなる。つまり、本実施例において、伝送内容に応じて機器のタイプを仕分けする。例えば、高い優先度の内容は緊急な公共安全出来事などを含むことができる。また、指す必要があることは、伝送内容は、ユーザ機器の固有特性ではないので、ユーザ機器のタイプは伝送内容に応じて動的に変化してもよい。また、前で言及されたように、ユーザ機器のタイプは、二種に限定せず、通信内容の優先度仕分け方式によって、ユーザ機器のタイプは三種又は三種以上であってもよい。
【００２８】
指示情報に基づいて他のユーザ機器が第１のタイプの機器であると確定した場合に、プロセッサ１１０は、当該他のユーザ機器が伝送するデータを優先して読み取るように配置されることができる。つまり、この場合に、第２の確定ユニット１１３は、指示情報に基づいて、当該他のユーザ機器に対するユーザ機器の相応するＤ２Ｄ通信操作が当該他のユーザ機器の伝送するデータを優先して読み取ることを含むことができるように確定する。ここに記載の優先して読み取ることは、例えば、当該他のユーザ機器が伝送するデータを読み取らなければならず、又は複数の他のＵＥがブロードキャストの際に優先度が高いＵＥの通信データを優先して読み取ることを指してもよい
【００２９】
また、一実施例によれば、プロセッサ１１０（第１の確定ユニット１１１）は、他のユーザ機器が免許不要帯域での同期信号に付加された指示情報を確定するように配置されることができ、同期信号配列に対応するルートインデックスはセルに用いられる同期信号配列に対応するルートインデックスを含んでもよい。つまり、他のユーザ機器が免許不要帯域で送信された同期信号を受信でき、同期信号配列はセル同期信号配列を多重化できる。当該実施例の利点については、従来の応用シーンにおいてセルが免許不要帯域で同期信号を送信せず、ＵＥのみが免許不要帯域で同期信号を送信するので、免許不要帯域で、ＵＥは、セルリソース例えば物理セル識別子（ＰＣＩ）、即ちＰＳＳ配列とＳＳＳ配列とを多重化することでＤ２Ｄ通信のための情報が付加される、例えばＵＥのタイプなどを指示することができることにある。この例において、ＵＥが利用可能なＰＳＳ／ＳＳＳ配列が多くなり、ＰＳＳ／ＳＳＳ配列により異なるＵＥのタイプにより有益である。
【００３０】
次に、主に、ＵＥタイプがＤ２Ｄ装置における中継側と被中継側に係る例について、本実施例を具体的に説明し、以下の具体的例のある方面については、他のＵＥタイプの仕分けに係る実施例に応用することもできると理解すべきである。
【００３１】
図２は、ＵＥ−ｔｏ−Ｎｅｔｗｏｒｋ  Ｒｅｌａｙを説明するための模式図であり、その中、ユーザ機器２３０（被中継ＵＥ又はＣＵＥとなってもよい）はユーザ機器２２０（中継ＵＥ又はＰＵＥとなってもよい）の中継によりネットワークへのアクセスを得る。図２にセルラネットワークの基地局２１０を例として示しているが、無線ネットワーク（ＷｉＦｉ）例えばＷｉＦｉスポットへのアクセスを中継してもよい。また、ＰＵＥ２２０とＣＵＥ２３０とは同一のオペレーターがサービングするユーザ機器であってもよく、異なるオペレーターがサービングするユーザ機器であってもよい。
【００３２】
まず、Ｄ２Ｄ通信における同期に関する既存の方式について概略的に説明する。Ｄ２Ｄ通信について、３ＧＰＰは、現在、機器発見及びブロードキャスト通信に注目している。機器発見のベースとして、Ｄ２Ｄ同期をサポートするために、Ｄ２Ｄ同期元はＤ２Ｄ同期信号を伝送する必要があり、Ｄ２Ｄ同期信号と、セルの送信する同期信号との間に一定の干渉があるので、従来の方式では、Ｄ２Ｄのために専門のプライマリー同期信号配列を設計し、それに対応するルートインデックスの値の範囲は｛２６，３７｝であり、これにより、セル同期信号との干渉を除去するようになる。
【００３３】
本発明の一つの例示的実施形態によれば、免許不要帯域で、ＵＥは物理セル識別子（ＰＣＩ）を多重化でき、そして、ＰＳＳルートインデックス、例えば｛２５，２９，３４｝に応じてＰＣＩを二部分に仕分け、それぞれＰＵＥとＣＵＥに識別される。実際の場合に、セルにおけるＣＵＥの数がＰＵＥの数より大きいことを考慮したので、以下の例示的設置を行うことができる。
ＰＵＥ  ＩＤ：ＰＳＳルートインデックスが｛２５｝であり、範囲が｛０−１６７｝であり、
ＣＵＥ  ＩＤ：ＰＳＳルートインデックスが｛２９，３４｝であり、範囲が｛１６８−５０３｝である。
また、ＰＵＥとＣＵＥとの数が増加した後に、新しいルートインデックス｛２６，３７｝はＰＵＥ  ＩＤとＣＵＥ  ＩＤとの数を拡張するために用いられることができ、例えば、
ＰＵＥ  ＩＤ：ＰＳＳルートインデックスが｛２５，２６｝であり、範囲が｛０−１６７｝、｛５０４−６７１｝であり、
ＣＵＥ  ＩＤ：ＰＳＳルートインデックスが｛２９，３４，３７｝であり、範囲が｛１６８−５０３｝、｛６７２−８３９｝である。
【００３４】
以上で、免許不要帯域で同期信号を送信し、且つ同期信号配列がセル同期信号配列を多重化する例示的実施形態を説明したが、本発明は、上記例の具体的詳細例えば具体的ルートインデックス割当方式などに限定されないと理解すべきである。
【００３５】
次に、本発明の実施例のうちＤ２Ｄ装置発見プロセスに関する例示的配置について説明する。まだ指す必要があることは、以下、主に、ＵＥタイプがＤ２Ｄ装置における中継側と被中継側とに係る例について、本実施例を具体的に説明し、以下の具体的例の幾つかの方面は他のＵＥタイプの仕分けに係る実施例に応用することもできると理解すべきである。
【００３６】
一実施例によれば、プロセッサ１１０（第２の確定ユニット１１３）は、他のユーザ機器からの同期信号に基づいて当該他のユーザ機器のモニタタイミングを確定して、当該モニタタイミングに応じてアクセス要求情報の送信を制御するために用いられるように配置されていることができる。本実施例において、ユーザ機器１００は、例えば、他のユーザ機器の中継によりネットワークに接続する必要があり、当該他のユーザ機器は中継装置として作動することができ、ユーザ機器１００は被中継装置として作動しようとする。この場合に、当該他のユーザ機器との接続を確立するために、ユーザ機器１００は、中継装置へ要求を送信する必要があり、上記モニタタイミングは当該他のユーザ機器からの同期信号に基づいて確定される。
【００３７】
例えば、一つの例示的配置によれば、当該モニタタイミングは所定の時間間隔だけ同期信号のタイミングより遅れたと確定される。当該配置によって、ユーザ機器１００は、同期信号を受信した後の所定のタイミングでアクセス要求情報を送信できることにより、当該他のユーザ機器はモニタタイミング内で要求情報を受信することができる。
【００３８】
尚、異なる中継ユーザ機器について、当該モニタタイミングは異なってもよい。例えば、一実施例によれば、プロセッサ１１０は、他のユーザ機器の同期信号に基づいて他のユーザ機器の識別子を確定し、当該他のユーザ機器の識別子に応じてモニタリングのための所定の時間間隔を確定するように配置されていることができる。当該配置によって、例えば、ユーザ機器１００が複数の他のユーザ機器の発見信号を同時に受信した場合に、同じモニタタイミングを採用することで複数の他のユーザ機器に対するユーザ機器１００のアクセス要求が互いに干渉することを避けることができる。
【００３９】
以上の実施例において、異なるモニタタイミング間隔により、異なる他のユーザ機器に対するユーザ機器１００のアクセス要求の干渉を避けるようになる。また、他の一実施例によれば、プロセッサ１１０は、他のユーザ機器の同期信号に基づいて他のユーザ機器の識別子を確定するように配置されることができ、そして、生成したアクセス要求情報は、他のユーザ機器の識別子を含んでいる。このように、アクセス要求を受信した他のユーザ機器は要求情報に含まれている識別子情報に応じて当該アクセス要求がそれに対するアクセス要求であるかどうかを確定することができる。
【００４０】
次に、図３乃至図４を参照しながら上記実施形態の具体的例である機器発見方式を説明する。なお、以下の例は、中継ユーザ機器と被中継ユーザ機器とが同一のオペレーターに属する又は異なるオペレーターに属するシーン、及び被中継ユーザ機器がセルカバー範囲内又はカバー範囲以外である場合に適用する。
【００４１】
中継側としようとするユーザ機器（ＰＵＥ）は、例えば、免許不要帯域で周期的に発見情報をブロードキャストし、当該信号はＰＳＳ／ＳＳＳを含んでいる（また例えばそのＰＵＥの接続タイプ情報、オペレーター情報、ネットワークとの接続品質などの情報等を含んでもよい）。
【００４２】
図３を参照して、２組の同期シグナリングが時間的にサブフレームに対する位置の例を示し、セルサーチを支援するために、２組の特別なシグナリングＰＳＳとＳＳＳとが下りリンクにブロードキャストを行い、その中、ＰＳＳがサブフレーム０と５の一番目のタイムスロットの最後の符号を占めて伝送し、ＳＳＳが同一のタイムスロットの後ろから数える２番目の符号を占めて伝送し、ＳＳＳはＰＳＳの前の一つの符号上にある。
【００４３】
図４に示すように、一つの特定の時間（例えば、Ｔ  ｍｓであり、０＜Ｔ＜４）の後、ＰＵＥはＣＵＥからのアクセス要求情報をモニタリングする。
【００４４】
オプションとして、基地局又はＰＵＥは、ＣＵＥアクセス上限を設定してもよい、アクセスしたＣＵＥの数が上限値に達する場合に、ＰＵＥは発見情報をブロードキャストすることを一時停止する。
【００４５】
オプションとして、それぞれのＰＵＥのモニタタイミング、即ち、Ｔ  ｍｓの時間の大きさは当該ＰＵＥのＩＤに応じて配置されてもよい（ＰＵＥ  ＩＤは、例えば、基地局はＵＥがＰＵＥとなることを許可する際に当該ＵＥに割り当てて既存のＰＵＥを識別、管理するものであり、しかし、他の場合に、例えば直接にＵＥ  ＩＤ例えばＲＮＴＩに基づいてもよい。ＣＵＥ  ＩＤについても類似する）、例えば、４に対するＰＵＥのＩＤ数のモード数（即ちＭｏｄ（ＰＵＥ  ＩＤ，４））に応じて、以下の例示的マップ関係に従ってＴを確定し、モード数が０である場合に、Ｔを１に設置し、モード数が１である場合に、Ｔを２に設置し、モード数が２である場合に、Ｔを３に設置し、モード数が３である場合に、Ｔを４に設置してもよい。
【００４６】
オプションとして、基地局又はＰＵＥはＣＵＥアクセス上限を設定してもよい、あるＰＵＥにアクセスするＣＵＥの数が上限値に達すると、当該ＰＵＥは発見情報をブロードキャストすることを一時停止する。
【００４７】
ＵＥは、アクティベーションされてＣＵＥとなった後、免許不要帯域でＰＵＥブロードキャスト情報をモニタリングする。ＣＵＥは、例えばルートインデックスが｛２５｝であるＰＳＳをモニタリングして識別した後に、例えば、以下の情報を得ることができる。
ＰＵＥの５ｍｓの時間タイミング（二つの隣り合うＰＳＳの伝送間隔）である、
ＰＳＳの受信電力であり、この電力はＣＵＥが現ＰＵＥにアクセスするかの判定条件の一つとなり得る、
ＳＳＳ信号の位置であり、ＳＳＳとＰＳＳとの相対位置が固定される。
【００４８】
ＣＵＥは、ＰＳＳをモニタリングした後、それとの相対位置が固定するＳＳＳ信号を知ることができ、これにより、ＣＵＥは、さらに、以下の条件を得ることができる。
ＰＵＥの１０ｍｓフレームタイミング（フレーム全体を確定する）、
ＰＵＥ  ＩＤ、
ＰＵＥのモニタリング位置であり、例えば、ＰＵＥ  ＩＤ  ｍｏｄ  ４に応じて、当該ＰＵＥのモニタタイミング位置を得ることができる。
【００４９】
また、ＣＵＥが複数のＰＵＥを検出したことが存在する可能性があり、この場合に、ＰＳＳの受信電力に応じてアクセスリンク品質が最も良いＰＵＥを選択することができる。オプションとして、ＰＵＥは、そのＰＵＥ接続タイプ情報（例えばそれがアクセスしたものはセルラネットワークであるかＷｉＦｉネットワークであるか）、オペレーター情報、及びネットワークとの接続品質などの情報をブロードキャストしてもよく、ＣＵＥは、これらの情報をまとめて最適なＰＵＥを選択してアクセスすることができる。相応して、一実施例によれば、複数のアクセス可能なユーザ機器がある場合に、本発明の実施例による無線通信装置は、アクセス可能なユーザ機器が中継する通信サービスのタイプと、アクセス可能なユーザ機器ネットワーク接続品質と、アクセス可能なユーザ機器との距離と、アクセス可能なユーザ機器からの信号の品質との一つ又は複数に応じて、アクセスしようとするユーザ機器を確定するように配置されることができる。前で言及されたように、このような選択については、基地局側（基地局メンテナンスに基づくユーザ機器情報）で行われてもよく、ＵＥ側で行われてもよい。ＵＥにより上記選択を行う方式において、発見信号に上記情報を含ませて、ＵＥがこれらの情報に基づいてアクセスしようとする機器の選択を行うようにすることができる。
【００５０】
ＣＵＥがあるＰＵＥを選択してアクセスした際に、ＣＵＥがＰＳＳをモニタリングした後に当該ＰＵＥのモニタタイミングが知られたので、ＣＵＥはこのモニタタイミング情報に応じて当該ＰＵＥへアクセス要求情報を送信する。当該情報はＣＵＥの同期信号を含んでもよい。前で言及されたように、オプションとして、当該情報は、ＣＵＥのＩＤ、及び、それが選択したアクセスしたＰＵＥのＩＤをさらに含んでもよい。
【００５１】
特に、ＰＵＥとＣＵＥとが同一のオペレーターに属する場合に、以下のネットワーク支援発見プロセスを行うことができる。
【００５２】
単一のオペレーターのシーンにおいて、ＣＵＥがセルカバー範囲内である場合に、基地局は予め得られた情報に応じてＰＵＥとＣＵＥとを支援して機器発見を実現することができる。当該予め得られた情報は、例えばＰＵＥとなり得るユーザ機器のＩＤ、位置、それがアクセスするネットワークタイプ（セルラネットワーク又はＷｉＦｉ）、及びそれが共有帯域の使用権を有するかなどを含んでもよく、ＣＵＥとなりたいユーザ機器のＩＤ、位置などを含んでもよい。機器直接発見の方式と比べて、基地局による支援の下で発見フローを簡略化させることができる。基地局は予め得られた位置情報に応じて、ＰＵＥ及びＣＵＥの近接関係を知ることができ、一定の距離範囲内のＰＵＥ情報を取得し、このＰＵＥ情報を当該ＣＵＥに送信し、ＣＵＥは、知られたＰＵＥ情報に応じてＰＵＥをサーチし、選択アクセスを行う。
【００５３】
なお、本発明は、上記具体的例の詳細、例えばフレームタイミングとモニタタイミングの設置などに限定されない。
【００５４】
次に、図５を参照しながら、本発明の他の実施例によるユーザ機器側に用いられる無線通信装置の配置例を説明する。
【００５５】
図５に示すように、無線通信装置５００は、一つ又は複数のプロセッサ５１０と送受信装置５２０とを含んでいる。プロセッサ５１０（第１の確定ユニット５１１と第２の確定ユニット５１３とを含む）は以上で記述されたプロセッサ１１０（第１の確定ユニット１１１と第２の確定ユニット１１３とを含む）と類似する配置を有してもよい。送受信装置５２０は、免許不要帯域で他のユーザ機器からの同期信号を受信するように配置されている。
【００５６】
同期信号を伝達するための免許不要帯域は予め合意したものであってもよく、例えば、ユーザ機器は、予めの合意に応じて、ある免許不要帯域でＤ２Ｄ発見信号の伝送を行ってもよい。また、デフォルトの免許不要帯域は複数であってもよく、そして、好ましくは、一般の場合に干渉が小さい帯域である。オプションとして、基地局は、上記デフォルトの帯域配置を動的に調整でき、ブロードキャスト情報によりＰＵＥ及びＣＵＥに報告する。相応して、一実施例によれば、プロセッサ５１０は、サービングセルからのブロードキャスト情報に応じて、その上で他のユーザ機器からの同期信号を受信するための免許不要帯域を確定するように配置されている。
【００５７】
以上でＰＵＥとＣＵＥとの間の機器発見プロセスの例を記述し、次に、本発明の実施例によるユーザ機器がＣＵＥとなることを要求する場合におけるアクティベーションプロセスの例ついて説明する。
【００５８】
ＣＵＥとなることを要求するユーザ機器はネットワークカバー範囲内に位置する可能性があり、ネットワークカバー範囲以外に位置する可能性もある。ユーザ機器は、ネットワークカバー範囲内に位置する場合に、ネットワークに対してそれをＣＵＥとして指定するように要求してもよく、ユーザ機器は、ネットワークカバー範囲以外に位置している場合に、通信のニーズに応じて、自動的に自分をＣＵＥとして指定してもよい。
【００５９】
具体的には、一実施例によれば、ユーザ機器がネットワークカバー範囲内にある場合に、当該ユーザ機器はアクティベーション要求情報を生成して、サービングセルに対してそれをＣＵＥとして指定するように要求するために用いられてもよい。当該アクティベーション要求情報は当該ユーザ機器の機器識別子を含んでもよく、また、アクティベーション要求情報は、当該ユーザ機器の位置情報をさらに含んでもよい。サービングセルは、これらの情報を利用して、ＣＵＥの情報メンテナンス、ＣＵＥの数量制御、及びＰＵＥのネットワーク支援発見などの処理を行ってもよい。
【００６０】
一方、ユーザ機器は、サービング基地局のカバー範囲以外に位置している場合に、所定のルートインデックス集合からルートインデックスを選択し、当該ルートインデックスに応じて当該ユーザ機器の同期信号を生成してもよい。この場合に、ユーザ機器は、例えば所定の集合において一つのＣＵＥ  ＩＤを選択すると、自動的にアクティベーションしてＣＵＥとなり、アクティベーション要求情報を送信する必要がない。
【００６１】
次に、図６を参照しながらＣＵＥアクティベーションプロセスの具体的例を説明し、なお、以下の例に記述する具体的詳細については、説明するためのものであり、制限をかけるものではない。
【００６２】
図６に示すように、ステップ１において、ＵＥは、ＰＵＥのネットワーク接続を共有する必要がある場合に、まず、サービングセルへＣＵＥアクティベーション要求情報を送信し、当該情報は例えばＵＥのＩＤ情報を含んでいる。
【００６３】
サービングセルがＵＥからのＣＵＥアクティベーション要求情報を受信した後、ステップ２において、サービングセルは、例えばそれがメンテナンスするＣＵＥに関する情報リストに記憶されている情報に応じて、当該ＵＥに利用可能なＣＵＥ  ＩＤを割当てて当該情報リストを更新する。
【００６４】
なお、当該情報リストは、例えば、ＵＥ  ＩＤ、ＵＥ位置、及びＣＵＥのＵＥに割当てるＣＵＥ  ＩＤなどの情報を含んでもよい。
【００６５】
サービングセルが上記情報リストをメンテナンスする作用については、
ＣＵＥ  ＩＤを管理し、新しいＵＥがアクティベーションＣＵＥとなることを要求する場合に、当該リストに基づいてそれにまだ使用されないＣＵＥ  ＩＤを割当てることと、
基地局が支援する機器発見を実現し、基地局はＣＵＥの情報リスト、及びＰＵＥの相応情報リストにおける位置情報に応じて、ＰＵＥ及びＣＵＥの近接関係を発見し、ＣＵＥへＰＵＥ情報（例えば、ＰＵＥタイプ、ＰＵＥ  ＩＤ）を送信することにより、ＰＵＥを支援してＣＵＥと接続を確立することとを含む。
【００６６】
続いて図６を参照し、ステップ３において、サービングセルはＵＥへＣＵＥアクティベーション要求応答情報を送信する。  サービングセルはＰＵＥ情報リストに応じて当該ＵＥから一定の範囲にＰＵＥが存在するかどうかを調べる。存在すると、相関ＰＵＥ情報、及び割当てられたＣＵＥ  ＩＤをＵＥに報告し、存在しないと、割当てられたＣＵＥ  ＩＤのみを送信するようになる。
【００６７】
ＵＥは、要求接続情報を受信した後、ステップ４において、アクティベーションされて、ＣＵＥとなり、ＰＵＥが免許不要帯域でブロードキャストする発見信号に対してモニタリングを行う。
【００６８】
以上で、ユーザ機器がＣＵＥとなることを要求する例示的プロセスを説明した。上記例のある方面は、同様に、他のＵＥの分類の実施例に適用する。例えば、ＵＥがＤ２Ｄ通信に同期参照が提供される一方となることを要求し（例えば他のＵＥから同期参照を得る必要が場合に）、又は、ＵＥがＤ２Ｄ通信に伝送する通信内容の優先度が高い一方となることを要求する場合に（例えばＵＥは緊急な公共安全出来事に関する情報を伝送する必要がある場合に）、いずれも、上記例と類似する配置を採用してアクティベーション要求を行う。
【００６９】
また、多種の所定のトリガー条件に基づいて上記アクセス要求プロセスをトリガーすることができる。
【００７０】
一実施例によれば、ユーザ機器は、その通信品質が所定のレベルより低い場合に、他のユーザ機器の同期信号の検出をトリガーする。
【００７１】
または、ネットワーク側にて上記アクティベーション要求をトリガーしてもよい。例えば、上記接続を中継する例について、ネットワークアンインストールのニーズに基づいて上記アクティベーション要求をトリガーしてもよい。当該プロセスの具体的例については、後で基地局側に対する実施例で説明する。
【００７２】
以上で、本発明の実施例による無線通信装置に対する記述プロセスで、幾つかの処理プロセスも明らかに開示し、次に、以上で記述された具体的詳細を重複しない場合に、本発明の実施例によるユーザ機器側に用いられる無線通信方法のプロセス例を説明する。
【００７３】
図７に示すように、ステップＳ７１０において、他のユーザ機器からの同期信号に付加された当該他のユーザ機器の、第１のタイプ及び第２のタイプを含むタイプに関する指示情報を確定する。以上のように、具体的な応用に応じて、上記第１のタイプと第２のタイプとは異なる具体的意味を有してもよく、例えば、Ｄ２Ｄ装置における中継側と被中継側、Ｄ２Ｄ通信に同期参照を提供する一方と同期参照が提供される一方、またはＤ２Ｄ通信に伝送する通信内容の優先度などを含んでもよい。また、確定したタイプの数は二つより大きくなってもよい。
【００７４】
ステップＳ７２０において、指示情報に基づいて、当該他のユーザ機器に対するユーザ機器の相応するデバイス・ツー・デバイス通信操作を確定する。相応して、Ｄ２Ｄ通信操作は例えば、中継装置のアクセスを要求するか、または被中継装置のアクセス要求を受け取るか、同期参照である一方と同期を行うかなど、あるいは優先度が高い通信内容を優先して送信または受信することなどを含んでもよい。
【００７５】
以上で、主に、Ｄ２Ｄ通信の被発見方（即ち、Ｄ２Ｄ発見信号を受信する一方、例えば、ＣＵＥ）の角度から本発明の実施例による装置と方法を記述し、続いて、Ｄ２Ｄ通信の発見方（即ち、Ｄ２Ｄ発見信号を送信する一方、例えばＰＵＥ）の角度から、本発明の実施例による装置と方法を記述する。
【００７６】
図８は、本発明の一実施例による、ユーザ機器側に用いられる無線通信装置の配置例を示している。無線通信装置８００は一つ又は複数のプロセッサ８１０を含んでいる。
【００７７】
プロセッサ８１０（確定ユニット８１１）は、ユーザ機器のデバイス・ツー・デバイス通信ニーズ、及び当該ユーザ機器のタイプを確定するように配置されている。なお、タイプは第１のタイプ及び第２のタイプを含んでもよい。
【００７８】
具体的に、第２のタイプを有する第２のタイプの機器は、デバイス・ツー・デバイス通信において第１のタイプを有する第１のタイプの機器の中継により通信サービスを得ることができる。又は、第１のタイプを有する第１のタイプの機器は、デバイス・ツー・デバイス通信において第２のタイプを有する第２のタイプの機器の同期参照とすることができる。また、又は、第１のタイプを有する第１のタイプの機器が伝送するデバイス・ツー・デバイス通信内容は、第２のタイプを有する第２のタイプの機器の通信内容の優先度と比べてより高くなる。
【００７９】
プロセッサ８１０（生成ユニット８１３）は、さらに、ユーザ機器のタイプに基づいてデバイス・ツー・デバイス通信に用いられる同期信号を生成するように配置され、なお、同期信号は当該ユーザ機器のタイプの指示情報が付加される。
【００８０】
一実施例によれば、異なるタイプのユーザ機器が生成した同期信号に含まれている同期信号配列に対応するルートインデックスは異なる集合に属する。これにより、同期信号を受信したユーザ機器は、当該ルートインデックス前記の集合に応じて、同期信号を送信したユーザ機器のタイプを確定するとともに、相応するＤ２Ｄ通信操作を確定することができる。例えば、前の例に挙げたように、ＰＵＥのＰＳＳルートインデックスを｛２５｝に設置し、ＣＵＥのＰＳＳルートインデックスを｛２９，３４｝の一つに設置し、又は、ＰＵＥのＰＳＳルートインデックスを｛２５，２６｝の一つに設置し、ＣＵＥのＰＳＳルートインデックスを｛２９，３４，３７｝の一つに設置してもよい。もちろん、これらの例は、説明するためのものであり、制限をかけるものではない。
【００８１】
また、ユーザ機器がサービング基地局のカバー範囲以外に位置している場合に、プロセッサ８１０は、ユーザ機器のタイプに対応するルートインデックス集合からルートインデックスを選択し、当該ルートインデックスに応じてユーザ機器の同期信号を生成するように配置されることができる。なお、前で具体的例に基づいて記述したシーンにおいて、同期信号を送信しようとするユーザ機器例えばＰＵＥは、必ずネットワークカバー範囲内であり、これにより、他のユーザ機器に中継を提供でき、しかし、他のシーンにおいて、例えば、他のユーザ機器に同期参照のユーザ機器を提供でき、又は他の装置に高い優先度の通信内容を提供しようとするユーザ機器は、サービング基地局のカバー範囲以外に位置している場合に、機器発見を行ってもよい。
【００８２】
一方、ユーザ機器がサービングセルのカバー範囲内に位置している場合に、プロセッサ８１０は、アクティベーション要求情報を生成するように配置されることができ、当該アクティベーション要求情報は、サービングセルに対してユーザ機器へルートインデックスに関する情報を提供するように要求するために用いられる。
【００８３】
当該アクティベーション要求情報は、ユーザの指令に応じて生成されてもよく、そして、当該アクティベーション要求情報は、ユーザ機器の機器識別子、ユーザ機器の接続タイプ（例えばそれはセルラネットワークに対する中継かＷｉＦｉに対する中継かを提供できる等して）、ユーザ機器の位置情報などを含んでもよい。これらの情報は、例えば、基地局に、基地局がメンテナンスするユーザ機器情報リストを更新するために用いられ、特定のタイプのユーザ機器、例えば、ＰＵＥの数量制御を行い、又は、基地局が支援する機器発見などに用いられる。
【００８４】
以上で挙げた情報を除き、アクティベーション要求情報は、例えば、（１）ユーザ機器が配置している通信サービスタイプと、（２）サービスタイプに相応するネットワーク接続品質情報と、（３）アクセス権限などを含んでもよい。なお、例えば、上記中継応用シーン（又は同期参照応用）について、ＰＵＥ（又は被参照ＵＥ）であるユーザ機器のアクセス権は例えば、オープンアクセスとクローズドアクセスとを含んでもよく、オープンアクセスに配置された場合に、任意のＣＵＥは、いずれも当該ＰＵＥにアクセスでき、クローズドアクセスに配置される場合に、ＣＵＥは、アクセスが制限され、当該ＰＵＥは、例えば、記憶されたアクセス許可リストに応じてＣＵＥがアクセス権を有するかどうかを判断し、許可リストにないＣＵＥは当該ＰＵＥにアクセスできない。上記情報のうち、情報（１）と（２）は、例えば、基地局側の判断を支持するために使用でき、情報（１）と（３）は、例えば、基地局がユーザ機器を選択してアンインストールするために使用でき、その中、基地局は、主に、オープンであり且つＷｉＦｉに接続したマスタ機器に依存してアンインストールを実現する。
【００８５】
以上のように、例えば中継サービスを提供するシーンにおいて、ＰＵＥとしようとするユーザ機器が基地局へ送信したアクティベーション要求情報は、当該ユーザ機器が得られた通信サービスのサービス品質に関する情報を含んでもよい。相応して、一実施例によれば、プロセッサ８１０は、ユーザ機器が得られた通信サービスのサービス品質を推定し、推定されたサービス品質をアクティベーション要求情報に含むように配置されることができる。
【００８６】
また、以上で言及された、クローズドアクセスの場合に対応して、一実施例によれば、プロセッサ８１０は、他のユーザ機器からのアクセス要求情報に応答して、所定のスレーブ機器リストに応じて、当該他のユーザ機器をサービングするスレーブ機器とするかどうかを確定するように配置されることができる。
【００８７】
また、生成したアクティベーション要求情報は無線リソース制御（ＲＲＣ）シグナリングに含まれて基地局に送信される。
【００８８】
前で言及されたように、免許不要帯域で上記同期信号を送信でき、そして、同期信号配列はセル同期信号配列を多重化できる。相応して、一実施例によれば、プロセッサ８１０（生成ユニット８１３）は、免許不要帯域に用いられる同期信号を生成するように配置されることができ、そして、当該同期信号配列に対応するルートインデックスはセルに用いられる同期信号配列に対応するルートインデックスを含む。以上のように、セルが免許不要帯域で同期信号を送信しないので、免許不要帯域で、ＵＥはセルリソースを多重化することでＤ２Ｄ通信のための情報が付加されることができる。
【００８９】
次に、図９を参照しながら、ＰＵＥアクティベーションプロセスの具体的例を説明し、なお、以下の例で記述される具体的詳細については、説明するためのものであり、制限をかけるものではない。
【００９０】
なお、ユーザの意志に従ってＵＥをアクティベーションしてＰＵＥとなり、自身のサービスニーズを満足するとともに、一定の程度でネットワークアンインストールの作用を図るようにする。このような特徴は、クロスオペレーターの場合に、より明らかに表現され、以下、幾つかの可能な応用シーンを挙げる。
【００９１】
例示的シーン１：ユーザＡとユーザＢとは友達であるが、ユーザＡとユーザＢとは機器が異なるオペレーターに属している。彼らがある位置に移動した際に、ユーザＡは、ネットワークにアクセスでき且つ良いサービス品質を有するが、ユーザＢはアクセスできず、又はサービス品質が悪く、ユーザＡは機器をアクティベーションしてＰＵＥとなりユーザＢとネットワーク接続を共有することができる。
【００９２】
例示的シーン２：ユーザＣは、異なるオペレーターに属する複数の機器を備えて、その中の幾つかの機器接続品質が悪く、又はデータが切れると、ユーザＣは良い接続品質を有するＵＥをアクティベーションしてネットワーク共有を実現することができ、この方式により、複数の機器の間で一致するユーザエクスペリエンスを維持することもできる。
【００９３】
ＰＵＥのアクティベーションフローの例は、例えば、図９に示すようである。
ステップ１において、ＰＵＥアクティベーション要求を送信する前に、ＵＥは、幾つかの必要なパラメーターに対して測定及び配置を行う必要があり、例えば、以下のことを含む。
ａ）当該ＵＥを配置してＰＵＥのアクセス権とし、前で言及されたオープンアクセスとクローズドアクセスを含み、オープンアクセスに配置された場合に、任意のＣＵＥは、いずれも当該ＰＵＥにアクセスでき、クローズドアクセスに配置された場合に、ＣＵＥはアクセスが制限され、当該ＰＵＥは、例えば記憶されたアクセス許可リスト又はパスワードに応じてＣＵＥがアクセス権を有するかどうかを判断する。
ｂ）そのネットワーク接続タイプに応じてＰＵＥタイプを配置し、例えば当該ＵＥがセルラネットワークによりインターネットに接続した場合に、第１の種類のＰＵＥに対応でき、当該ＵＥがＷｉ−Ｆｉによりインターネットに接続した場合に、第２の種類のＰＵＥに対応できる。
ｃ）参照信号受信電力（ＲＳＲＰ）又は受信信号強度指示（ＲＳＳＩ）を測定し、ＵＥが第一種類に配置されたと、ＲＳＲＰを測定し、ＵＥが上記第二種類に配置されたと、ＲＳＳＩを測定する。
【００９４】
次に、ステップ２において、ＵＥは、例えば、ＲＲＣシグナリングによりサービングセルへＰＵＥアクティベーション要求情報を送信し、その中、例えば、ＵＥ  ＩＤ、配置されたＰＵＥタイプ、及び測定した相応するＲＳＲＰ／ＲＳＳＩを含んでもよい。
【００９５】
ステップ３において、サービングセルは、受信した要求に応じて許可制御を行い応答し、当該プロセスは基地局側で行われるので、以下で基地局側の実施例に基づいて当該プロセスを詳細に説明する。
【００９６】
ステップ４において、要求が受け取られたと、サービングセルは、例えばＲＲＣシグナリング又は下りリンク制御情報によりアクティベーション要求応答情報をＵＥに送信し、情報には、例えば、当該ＵＥに割当てられたＰＵＥ  ＩＤなどの情報を含んでいる。
【００９７】
ステップ５において、ＵＥが要求応答情報を受信した後、当該ＵＥは、アクティベーションされてＰＵＥとなり、例えば、免許不要帯域でＰＵＥ発見情報を周期的にブロードキャストして、ＣＵＥを支援してＰＵＥ発見及び検出を行うために用いられる。
【００９８】
前で具体的例に基づいてＰＵＥとＣＵＥとの間に行う機器発見のプロセスを記述し、ＰＵＥ発見情報のブロードキャスト及びモニタリングプロセスを含み、ここで重複説明をしない。
【００９９】
次に、図１０を参照しながら本発明の他の一実施例によるユーザ機器側に用いられる無線通信装置の配置例を説明する。
【０１００】
図１０に示すように、無線通信装置１０００は、一つ又は複数のプロセッサ１０１０と、送受信装置１０２０とを含む。プロセッサ１０１０は（確定ユニット１０１１と生成ユニット１０１３とを含む）、以上で記述されたプロセッサ８１０（確定ユニット８１１と生成ユニット８１３を含む）と類似する配置を有してもよい。送受信装置１０２０は、免許不要帯域で、生成ユニット１０１３が生成した同期信号を送信し、他のユーザ機器の同期信号を検出するように配置されることができる。
【０１０１】
送受信装置１０２０は、所定の時間間隔で、生成した同期信号の送信と、当該他のユーザ機器の同期信号の検出を行うように配置されることができる。例えば、前で図３と図４を参照して説明したように、本発明の実施例は、前記の例に係る具体的詳細例えば具体的タイミング設置などに限定されない。
【０１０２】
次に、以上で記述された具体的詳細を重複しない場合に、本発明の実施例によるユーザ機器側に用いられる無線通信方法のプロセス例を説明する。
【０１０３】
図１１に示すように、一実施例によるユーザ機器側で行われる無線通信方法は、ユーザ機器のデバイス・ツー・デバイス通信ニーズ、及びユーザ機器のタイプを確定するステップＳ１１１０を含んでいる。なお、タイプは第１のタイプ及び第２のタイプを含んでもよい。以上のように、第１のタイプと第２のタイプは異なる具体的意味を有してもよく、例えば、Ｄ２Ｄ装置における中継側と被中継側、Ｄ２Ｄ通信に同期参照を提供する一方と同期参照が提供される一方、又はＤ２Ｄ通信に伝送する通信内容の優先度などを含んでもよい。また、確定したタイプの数は二つより多くなってもよい。
【０１０４】
当該方法は、さらに、ユーザ機器のタイプに基づいてデバイス・ツー・デバイス通信に用いられる同期信号を生成するステップＳ１１２０をさらに含んでいる。なお、同期信号は、当該ユーザ機器のタイプに関する指示情報が付されている。
【０１０５】
これにより、当該同期信号を受信した他のユーザ機器は、同期信号に付加されたタイプに関する情報に応じて、余分の情報交換を行わない場合に、相応する通信操作を確定することができる。
【０１０６】
以上で本発明の実施例によるユーザ機器側に用いられる無線通信装置と方法を記述した。本発明の実施例は基地局側の無線通信装置をさらに含んでいる。次に、図１２を参照しながら本発明の一実施例による、ユーザ基地局側の無線通信装置を説明する。
【０１０７】
図１２に示すように、無線通信装置１２００は、基地局がサービングするユーザ機器の、第１のタイプ及び第２のタイプを含むタイプを確定する（第１の確定ユニット１２１１）ように配置されている一つ又は複数のプロセッサ１２１０を含む。
【０１０８】
プロセッサ１２１０は、さらに、ユーザ機器のタイプに基づいて、ユーザ機器のためにそれが利用可能な同期信号配列に対応するルートインデックスに関する情報を確定する（第２の確定ユニット１２１３）ように配置され、なお、異なるタイプのユーザ機器が利用可能な同期信号ルートインデックスは異なる集合に属する。
【０１０９】
以上のように、同期信号配列はセル同期信号配列を多重化でき、より具体的に、ＵＥはセルリソース例えばＰＣＩを多重化することでＤ２Ｄ通信のための情報が付加され、例えばＵＥのタイプなどを指示するために用いられてもよい。相応して、第２の確定ユニット１２１３が確定した同期信号配列に対応するルートインデックスに関する情報はＰＣＩであってもよい。
【０１１０】
一実施例によれば、プロセッサ１２１０は、ユーザ機器のタイプに基づいて、免許不要帯域で作動しているユーザ機器のためにルートインデックスに関数する情報を確定するように配置されていることができ、同期信号配列に対応するルートインデックスはセルに用いられる同期信号配列に対応するルートインデックスを含んでもよい。
【０１１１】
また、ユーザ機器が免許不要帯域を使用してＤ２Ｄ通信を行おうとする場合に、基地局によりＤ２Ｄ通信のための免許不要帯域を確定してもよく、相応して、一実施例によれば、プロセッサ１２１０は、さらに、ユーザ機器の間でデバイス・ツー・デバイスを行う際に使用する免許不要帯域を確定するように配置されている。しかし、前で言及されたように、Ｄ２Ｄ通信のための免許不要帯域は、予め合意したものであってもよく、つまり、デフォルトのものであり、この場合に、基地局が免許不要帯域を確定する必要がない。基地局は、上記デフォルト帯域の配置を動的に調整するように配置されることができる。基地局は、ブロードキャスト情報により確定した免許不要帯域又は調整されたデフォルト帯域をユーザ機器に通知してもよい。
【０１１２】
以上でユーザ機器側の実施例の記述で言及したように、ユーザ機器は、サービングセルに対して例えばＰＵＥとＣＵＥとなることを要求し、相応して、本実施例による基地局側の無線通信装置において、プロセッサ１２１０は、ユーザ機器からのアクティベーション要求情報に基づいてユーザ機器をマスタ機器又はスレーブ機器として指定するように配置されることができ、スレーブ機器はデバイス・ツー・デバイス通信プロセスでマスタ機器の中継により通信サービスを得ることができる。
【０１１３】
一方、本発明の実施例による基地局側の無線通信装置は、ネットワーク負荷に応じてユーザ機器をマスタ機器又はスレーブ機器として指定してもよい。この場合は、前で記述されたネットワークアンインストールのニーズに基づいてマスタ機器とスレーブ機器とに対するアクティベーション要求をトリガーすることに対応する。
【０１１４】
具体的に、基地局は、あるＵＥをＣＵＥの形で本セルにアンインストールしてＷｉＦｉの、アクセス権がオープンに配置されたＵＥに接続する場合に、以下の例示的操作を行うことができる。
【０１１５】
ステップ１において、基地局は、それがメンテナンスするＵＥ情報のうちＰＵＥ位置とタイプ情報とに基づいてアンインストール待ちのＵＥを選択する。
【０１１６】
ステップ２において、選択したＵＥにＣＵＥ  ＩＤを割当てる。
【０１１７】
ステップ３において、割当てられたＣＵＥ  ＩＤ及び、当該ＵＥから一定の範囲内のＰＵＥ情報（例えばＰＵＥ  ＩＤ）を当該ＵＥに送信する。
【０１１８】
ステップ４において、当該ＵＥをアクティベーションしてＣＵＥとなりそれをＰＵＥが免許不要帯域でブロードキャストする発見信号をモニタリングさせる。
【０１１９】
ユーザ要求とネットワーク負荷とのいずれに基づいて、本発明の実施例による基地局側無線通信装置は所定の条件に応じて、要求を提出するユーザ機器を上記マスタ機器又はスレーブ機器として指定するかどうかを確定することができる。
【０１２０】
例えば、
ａ）  サービングセル、及びマスタ機器となることを要求するユーザ機器が共有帯域の使用権を有するか、
ｂ）  サービングセルに既存のマスタ機器の数、及び
ｃ）  マスタ機器となることを要求するユーザ機器が得られた通信サービスのサービス品質の一つ又は複数に応じて、マスタ機器となることを要求するユーザ機器をマスタ機器として指定するかどうかを確定してもよい。
【０１２１】
なお、条件ａ）について、共有帯域とは、例えば、指定又は合意した、Ｄ２Ｄ通信のための免許不要帯域であり、ただ、ユーザ機器が共有帯域の使用権を有する場合に、それがマスタ機器となることを許可する。条件ｂ）について、例えば、ただセルに既存のマスタ機器の数が所定の閾値に達しない場合に新しいユーザ機器がマスタ機器となることを許可する。条件ｃ）について、例えばただマスタ機器となることを要求するユーザ機器の通信サービス品質が所定のレベルより高い場合にそれがマスタ機器となることを許可する。
【０１２２】
また、前で言及されたネットワークアンインストールの場合に対応して、一実施例によれば、プロセッサ１２１０は、ネットワーク負荷が所定のレベルを超えた場合に、少なくとも一つのユーザ機器をスレーブ機器として確定するように配置されることができ、当該スレーブ機器は、マスタ機器である他のユーザ機器の中継によりＷｉＦｉへの接続を得る。これにより、セルラネットワークの負荷を低減し、ネットワークアンインストールの目的に達する。
【０１２３】
次に、図１３を参照しながら本発明の実施例による基地局側無線通信装置は、ユーザ機器からの、マスタ機器となる要求に対して行う許可制御のプロセス例について、説明し、当該例示的プロセスは、前で図９を参照して説明した例のステップ３に対応してもよい。
【０１２４】
図１３に示すように、ユーザ機器からのマスタ機器アクティベーション要求に基づいて、ステップＳ１３１０において共有帯域の使用権の確認を開始する。
【０１２５】
ステップＳ１３２０において、現セル、及び当該ＵＥが共有帯域の使用権を有するかどうかを判断する。有すると、次のステップを実行し、有しないと、要求を拒絶する。
【０１２６】
ステップＳ１３３０において、Ｎ１がセルに予め配置された同時に存在可能なＰＵＥの数の最大であるとすると、サービングセルはＰＵＥアクティベーション要求情報を受信した後、現在に存在しているＰＵＥの数がＮ１より小さいと、次のステップを実行し、さもなければ、要求を拒絶する。
【０１２７】
ステップＳ１３４０において、閾値Ｐ１はＵＥが第一類ＰＵＥに配置された際に受け取り可能な最小ＲＳＲＰ値を指示し、Ｐ２はＵＥが第二類ＰＵＥに配置された受け取り可能な最小ＲＳＳＩ値であることを定義しておき、要求情報のうちＲＳＲＰ≧Ｐ１又はＲＳＳＩ≧Ｐ２となると、次のステップを実行し、さもなければ、要求を拒絶する。
【０１２８】
要求を発行したＵＥが上記条件を満足した場合に、Ｓ１３５０でマスタ機器ＩＤを割当てて、さもなければ、Ｓ１３６０で当該ユーザ機器の要求を拒絶する。ユーザ機器の要求を受け取った場合に、基地局は、さらに、それがメンテナンスするユーザ機器情報例えばＰＵＥ情報リストを更新してもよい。
【０１２９】
なお、図１３の例において、ステップＳ１３２０乃至Ｓ１３４０の判断プロセスを連続して行ったが、上記判断を並行して行ってもよい。また、上記条件の一部のみに応じて判断を行う場合に、上記ある条件の判断プロセスを省略できる。
【０１３０】
次に、図１４を参照しながら他の一実施例による、基地局側に用いられる無線通信装置を説明する。図１４に示すように、無線通信装置１４００は、一つ又は複数のプロセッサ１４１０と、送受信装置１４２０とを含んでいる。プロセッサ１４１０は、第１の確定ユニット１４１１と、第２の確定ユニット１４１３と、第３の確定ユニット１４１５とを含んでいる。第１の確定ユニット１４１１と第２の確定ユニット１４１３とは、前で図１２を参照して説明した第１の確定ユニット１２１１と第２の確定ユニット１２１３との配置と類似する。第３の確定ユニット１４１５は、ユーザ機器の間でデバイス・ツー・デバイスを行う際に使用する免許不要帯域を確定するように配置されている。送受信装置１４２０は、ブロードキャスト情報によりユーザ機器へ確定した免許不要帯域を通知するように配置されている。
【０１３１】
図１８乃至図２０は、本発明の実施例によるユーザ機器側に用いられる無線通信装置と基地局側に用いられる無線通信装置との配置例をそれぞれ示している。
【０１３２】
図１８に示すように、一実施例によるユーザ機器側に用いられる無線通信装置１８００は、第１の確定装置１８１０と、第２の確定装置１８２０とを含んでいる。第１の確定装置１８１０は、他のユーザ機器からの同期信号に付加された当該他のユーザ機器のタイプに関する指示情報を確定するように配置されている。なお、タイプは第１のタイプ及び第２のタイプを含む。第２の確定装置１８２０は、指示情報に基づいて、当該他のユーザ機器に対するユーザ機器１８００の相応するデバイス・ツー・デバイス通信操作を確定するように配置されている。
【０１３３】
図１９に示すように、他の一実施例による、ユーザ機器側に用いられる無線通信装置１９００は、確定装置１９１０と生成装置１９２０とを含んでいる。確定装置１９１０は、ユーザ機器１９００のデバイス・ツー・デバイス通信ニーズ、及びユーザ機器１９００のタイプを確定するように配置されている。なお、タイプは第１のタイプ及び第２のタイプを含む。生成装置１９２０は、ユーザ機器１９００のタイプに基づいてデバイス・ツー・デバイス通信に用いられる同期信号を生成するように配置されている。なお、当該同期信号はユーザ機器１９００のタイプに関する指示情報が付加される。
【０１３４】
図２０に示すように、他の一実施例による、基地局側に用いられる無線通信装置２０００は、第１の確定装置２０１０と第２の確定装置２０２０とを含んでいる。第１の確定装置２０１０は、基地局がサービングするユーザ機器のタイプを確定するように配置されている。なお、タイプは第１のタイプ及び第２のタイプを含む。第２の確定装置２０２０は、ユーザ機器のタイプに基づいてユーザ機器のためにそれが利用可能な同期信号配列に対応するルートインデックスに関する情報を確定するように配置されている。なお、異なるタイプのユーザ機器が利用可能な同期信号ルートインデックスは異なる集合に属する。
【０１３５】
例として、上記方法の各ステップ及び上記装置の各組立モジュール及び／又はユニットはソフトウェア、ファームウェア、ハードウェア又はその組み合わせで実現してもよい。ソフトウェア或いはファームウェアで実現する場合、記憶媒体或いはネットワークから専用ハードウェア構造を有するコンピュータ（例えば図１５に示す汎用パーソナルコンピューター１５００）に上記方法を実施するためのソフトウェアを構成するプログラムをインストールし、当該コンピュータは各種のプログラムがインストールされた場合、各種の機能等を実行できる。
【０１３６】
図１５において、演算処理ユニット（ＣＰＵ）１５０１は、読取専用メモリ（ＲＯＭ）１５０２に記憶されているプログラム或いは記憶部１５０８からランダムアクセスメモリ（ＲＡＭ）１５０３にロードしたプログラムに基づいて各種の処理を実行する。ＲＡＭ１５０３にも、必要に応じてＣＰＵ１５０１が各種の処理等を実行する際に必要なデータが記憶される。ＣＰＵ１５０１、ＲＯＭ１５０２、ＲＡＭ１５０３はバス１５０４を介して互いにリンクされている。入力／出力インタフェース１５０５もバス１５０４にリンクされている。
【０１３７】
入力部１５０６（キーボード、マウス等を含む）、出力部１５０７（ディスプレイ、例えば陰極線管（ＣＲＴ）、液晶ディスプレイ（ＬＣＤ）等、スピーカ等を含む）、記憶部１５０８（ハードディスク等を含む）、通信部１５０９（ネットワークインターフェースカード例えばＬＡＮカード、モデム等を含む）は入力／出力インタフェース１５０５に接続される。通信部１５０９は、ネットワーク、例えばインターネットを介して通信処理を実行する。必要に応じて、ドライバー１５１０も入力／出力インタフェース１５０５に接続される。リムーバブルメディア１５１１、例えばディスク、光ディスク、光磁気ディスク、半導体メモリ等は、必要に応じてドライバー１５１０に装着され、その中から読み出したコンピュータプログラムが必要に応じて記憶部１５０８にインストールされるようにする。
【０１３８】
ソフトウェアで上記一連の処理を実現する場合、ネットワーク、例えばインターネット或いは記憶装置、例えばリムーバブルメディア１５１１からソフトウェアを構成するプログラムをインストールする。
【０１３９】
当業者であれば、この種の記憶媒体は、図１５に示す、その中にプログラムが記憶され装置に別途配分してユーザにプログラムを提供するリムーバブルメディア１５１１に限定されないことが理解される。リムーバブルメディア１５１１の例は、磁気ディスク（フロッピーディスク（登録商標））、光ディスク（光ディスク読取専用メモリ（ＣＤ−ＲＯＭ）とデジタル多用途ディスク（ＤＶＤ）を含む）、光磁気ディスク（ミニディスク（ＭＤ）（登録商標）を含む）、半導体メモリを含む。又は、記憶媒体は、ＲＯＭ１５０２、記憶部１５０８に含まれるハードディスク等であってもよく、その中にプログラムが記憶され、且つこれらを含む装置とともにユーザに配分される。
【０１４０】
本発明の実施例は、さらに、機器が読み取り可能なプログラム指令コードを記憶しているプログラム製品に関する。前記指令コードは機器に読み取られて実行される場合に、上記本発明の実施例による方法を実行できる。
【０１４１】
相応して、上記した機器が読み取り可能な指令コードが記憶されているプログラム製品を搭載するための記憶媒体も本発明の開示に含まれる。上記記憶媒体はフロッピーディスク、光ディスク、光磁気ディスク、メモリカード、メモリースティック等が含まれるが、これに限られない。
【０１４２】
本出願の実施例はさらに、以下の電子機器に関する。電子機器を基地局側に応用する場合に、電子機器は、任意のタイプの進化型ノードＢ（ｅＮＢ）、例えばマクロｅＮＢとスモールｅＮＢとして実現してもよい。スモールｅＮＢはマクロセルより小さいセルをカバーするｅＮＢ、例えばピコファラドｅＮＢ、マイクロｅＮＢ、ホーム（フェムト）ｅＮＢであってもよい。その代わりに、電子機器は、任意の他のタイプの基地局、例えばＮｏｄｅＢとベーストランシーバ基地局（ＢＴＳ）として実現されてもよい。電子機器は、無線通信を制御するように配置される本体（基地局デバイスとも称する）と、本体と異なる箇所に設置される一つ又は複数のリモート無線ヘッド（ＲＲＨ）とを含んでもよい。また、以下記述する各種のタイプの端末は、基地局機能を一時又は半恒久的に実行することにより基地局として作動する。
【０１４３】
電子機器をユーザ機器側に応用する場合に、例えば、移動端末（例えばスマートフォン、タブレットパソコンコンピュータ（ＰＣ）、ノートＰＣ、携帯型ゲーム端末、携帯型／ウオッチドッグ型移動ルータとデジタル撮像装置）又は車載端末（例えばカーナビゲーション装置）として実現されてもよい。また、電子機器は、上記端末における端末ごとに取り付けられた無線通信モジュール（例えば単一又は複数のチップを含む集積回路モジュール）であってもよい。
【０１４４】
［端末装置の応用例について］
図１６は本開示の内容の技術を応用できるスマートフォン２５００の例示的構成を示すブロック図である。スマートフォン２５００は、プロセッサ２５０１、メモリ２５０２、記憶装置２５０３、外部接続インタフェース２５０４、撮像装置２５０６、センサ２５０７、マイクロフォン２５０８、入力装置２５０９、表示装置２５１０、スピーカ２５１１、無線通信インタフェース２５１２、一つ又は複数のアンテナスイッチ２５１５、一つ又は複数のアンテナ２５１６、バス２５１７、バッテリー２５１８及び補助コントローラ２５１９を含む。
【０１４５】
プロセッサ２５０１は例えばＣＰＵ又はＳｏＣであってもよく、スマートフォン  ２５００のアプリケーション層とその他の層の機能を制御する。メモリ２５０２はＲＡＭとＲＯＭを含み、データと、プロセッサ２５０１により実行されるプログラムを記憶する。記憶装置２５０３は記憶媒体、例えば半導体メモリとハードディスクを含んでもよい。外部接続インタフェース２５０４は、外部装置（メモリカードとユニバーサル・シリアル・バス（ＵＳＢ））をスマートフォン２５００に接続するためのインタフェースである。
【０１４６】
撮像装置２５０６が画像センサ（例えばＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ））を含み、撮像画像を生成する。センサ２５０７は例えば、測定センサ、ジャイロセンサ、地磁気センサ及び加速度センサなどのセンサ群を含み得る。マイクロフォン２５０８はスマートフォン２５００に入力される音声を音声信号に変換する。入力装置２５０９は例えば表示装置２５１０のスクリーン上のタッチを検出するように配置されるタッチセンサ、キーパッド、キーボード、ボタン又はスイッチを含み、ユーザから入力される操作又は情報を受信する。表示装置２５１０はスクリーン（例えば液晶ディスプレイ（ＬＣＤ）、有機発光ダイオード（ＯＬＥＤ）ディスプレイ）を含み、スマートフォン２５００の出力画像を表示する。スピーカ２５１１はスマートフォン２５００から出力される音声信号を音声に変換する。
【０１４７】
無線通信インタフェース２５１２は任意のセルラー通信方式（例えばＬＴＥ、ＬＴＥ−Ａｄｖａｎｃｅｄ）をサポートし、無線通信を実行する。無線通信インタフェース２５１２は、一般に、例えばＢＢプロセッサ２５１３とＲＦ回路２５１４とを含んでもよい。ＢＢプロセッサ２５１３は例えば符号化／復号化、変調／復調及び多重化／逆多重化を実行してもよく、無線通信のための様々な信号処理を実行する。一方、ＲＦ回路２５１４は例えばミキサ、フィルタ及びアンプを含んでもよく、アンテナ２５１６を介して無線信号を送受信する。無線通信インタフェース２５１２はＢＢプロセッサ２５１３とＲＦ回路２５１４を集積した一つのチップモジュールであってもよい。図１０に示すように、無線通信インタフェース２５１２は複数のＢＢプロセッサ２５１３と複数のＲＦ回路２５１４を含んでもよい。図１０は無線通信インタフェース２５１２が複数のＢＢプロセッサ２５１３と複数のＲＦ回路２５１４を含む例を示したが、無線通信インタフェース２５１２は単一のＢＢプロセッサ２５１３又は単一のＲＦ回路２５１４を含んでもよい。
【０１４８】
また、セルラー通信方式を除き、無線通信インタフェース２５１２は他の種類の無線通信方式、例えば近距離無線通信方式、近接無線通信方式又は無線ＬＡＮ（Ｌｏｃａｌ  Ａｒｅａ  Ｎｅｔｗｏｒｋ）方式をサポートしてもよく。この場合、無線通信インタフェース２５１２は無線通信方式ごとのＢＢプロセッサ２５１３とＲＦ回路２５１４を含んでもよい。
【０１４９】
アンテナスイッチ２５１５の各々は、無線通信インタフェース２５１２に含まれる複数の回路（例えば、異なる無線通信方式のための回路）の間にアンテナ２５１６の接続先を切り替える。
【０１５０】
アンテナ２５１６の各々は単一の又は複数のアンテナ素子（例えば、ＭＩＭＯアンテナに含まれる複数のアンテナ素子）を含み、無線通信インタフェース２５１２による無線信号の送受信のために用いられる。図１６に示すように、スマートフォン２５００は複数のアンテナ２５１６を含んでもよい。図１６はスマートフォン２５００が複数のアンテナ２５１６を含む例を示したが、スマートフォン２５００は単一のアンテナ２５１６を含んでもよい。
【０１５１】
また、スマートフォン２５００は無線通信方式ごとにアンテナ２５１６を含んでもよい。この場合、アンテナスイッチ２５１５はスマートフォン２５００の構成から省略されてもよい。
【０１５２】
バス２５１７は、プロセッサ２５０１、メモリ２５０２、記憶装置２５０３、外部接続インタフェース２５０４、撮像装置２５０６、センサ２５０７、マイクロフォン２５０８、入力装置２５０９、表示装置２５１０、スピーカ２５１１、無線通信インタフェース２５１２及び補助コントローラ２５１９を互いに接続する。バッテリー２５１８は図中に破線で部分的に示した支線を介して図１６に示すスマートフォン２５００の各ブロックに電力を供給する。補助コントローラ２５１９は例えば、スリープモードにおいて、スマートフォン２５００の必要最低限の機能を動作させる。
【０１５３】
図１６にスマートフォン２５００において、図５、図１０を使用して記述された送受信装置５２０、１０２０は、無線通信インタフェース２５１２により実現されてもよい。図１、図５、図８、図１０を参照して記述されたそれぞれのユニットの機能の少なくとも一部は、プロセッサ２５０１又は補助コントローラ２５１９により実現されてもよい。例えば、補助コントローラ２５１９がプロセッサ２５０１の一部の機能を実行することでバッテリー２５１８の電力消費を低減させることができる。また、プロセッサ２５０１又は補助コントローラ２５１９は、メモリ２５０２あるいは記憶装置２５０３に記憶されているプログラムを実行することで、図１、図５、図８、図１０を参照して記述されたそれぞれのユニットの機能の少なくとも一部を実行することができる。
【０１５４】
［基地局の応用例について］
図１７は、本開示の技術を応用できるｅＮＢの例示的配置の例を示すブロック図である。ｅＮＢ２３００は、一つ又は複数のアンテナ２３１０及び基地局デバイス２３２０を含む。基地局デバイス２３２０と各アンテナ２３１０はＲＦケーブルを介して互いに接続され得る。
【０１５５】
アンテナ２３１０の各々は、単一の又は複数のアンテナ素子（例えば、マルチ入力・マルチ出力（ＭＩＭＯ）アンテナに含まれる複数のアンテナ素子）を含み、基地局デバイス２３２０による無線信号の送受信のために用いられる。ｅＮＢ２３００は、図１７に示したように複数のアンテナ２３１０を含み、複数のアンテナ２３１０は、例えばｅＮＢ２３００が使用する複数の周波数帯域に共用してもよい。なお、図１７にはｅＮＢ２３００が複数のアンテナ２３１０を含む例を示したが、ｅＮＢ２３００は単一のアンテナ２３１０を含んでもよい。
【０１５６】
基地局デバイス２３２０は、コントローラ２３２１、メモリ２３２２、ネットワークインタフェース２３２３、及び無線通信インタフェース２３２５を含む。
【０１５７】
コントローラ２３２１は、例えばＣＰＵ又はＤＳＰであってよく、基地局デバイス２３２０の上位レイヤの様々な機能を操作する。例えば、コントローラ２３２１は、無線通信インタフェース２３２５により処理された信号内のデータからデータパケットを生成し、生成したパケットをネットワークインタフェース２３２３を介して転送する。コントローラ２３２１は、複数のベースバンドプロセッサからのデータをバンドリングすることによりバンドルドパケットを生成し、生成したバンドルドパケットを転送してもよい。また、コントローラ２３２１は、無線リソース管理、無線ベアラ制御、移動性管理、流入制御、及びスケジューリングのような制御を実行する論理的な機能を有してもよい。また、当該制御は、周辺のｅＮＢ又はコアネットワークノードと連携して実行されてもよい。メモリ２３２２は、ＲＡＭ及びＲＯＭを含み、コントローラ２３２１により実行されるプログラム、及び様々な制御データ（例えば、端末リスト、伝送電力データ及びスケジューリングデータなど）を記憶する。
【０１５８】
ネットワークインタフェース２３２３は基地局デバイス２３２０をコアネットワーク２３２４に接続するための通信インタフェースである。コントローラ２３２１はネットワークインタフェース２３２３を介してコアネットワークノード又は他のｅＮＢと通信してもよい。この場合、ｅＮＢ２３００とコアネットワークノード又は他のｅＮＢとはロジックインタフェース（例えばＳ１インタフェースとＸ２インタフェース）により互いに接続される。ネットワークインタフェース２３２３は有線通信インタフェース、又は無線バックホールのための無線通信インタフェースであってもよい。ネットワークインタフェース２３２３が無線通信インタフェースであると、ネットワークインタフェース２３２３は無線通信インタフェース２３２５により使用される周波数帯域より高い周波数帯域を無線通信に使用してもよい。
【０１５９】
無線通信インタフェース２３２５は、任意のセルラー通信方式（例えば、ＬＴＥ（Ｌｏｎｇ  Ｔｅｒｍ  Ｅｖｏｌｕｔｉｏｎ）、ＬＴＥ−Ａｄｖａｎｃｅｄ）をサポートし、アンテナ２３１０を介して、ｅＮＢ２３００のセル内に位置する端末までの無線接続を提供する。無線通信インタフェース２３２５は、一般、ベースバンド（ＢＢ）プロセッサ２３２６及びＲＦ回路２３２７を含み得る。ＢＢプロセッサ２３２６は、例えば、符号化／復号化、変調／復調及び多重化／逆多重化を実行してもよく、レイヤ（例えばＬ１、媒体アクセス制御（ＭＡＣ）、無線リンク制御（ＲＬＣ）、パケットデータ収束プロトコル（ＰＤＣＰ））のさまざまな信号処理を実行する。コントローラ２３２１の代わりに、ＢＢプロセッサ２３２６は上記ロジック機能の一部又は全部を有し得る。ＢＢプロセッサ２３２６は通信制御プログラムを記憶するメモリであってもよく、又はプログラムを実行するように配置されるプロセッサ及び関連する回路を含むモジュールであってもよい。ＢＢプロセッサ２３２６の機能はプログラムの更新により変更可能であってもよい。当該モジュールは基地局デバイス２３２０のスロットに挿入されるカード若しくはブレードであってもよい。代わりに、当該モジュールはカード若しくはブレードに搭載されるチップであってもよい。一方、ＲＦ回路２３２７は例えばミキサ、フィルタ及びアンプを含んでもよく、アンテナ２３１０を介して無線信号を送受信する。
【０１６０】
図１７に示すように、無線通信インタフェース２３２５は複数のＢＢプロセッサ２３２６を含み得る。例えば、複数のＢＢプロセッサ２３２６はｅＮＢ２３００が使用する複数の周波数帯域に共用される。図２３に示すように、無線通信インタフェース２３２５は複数のＲＦ回路２３２７を含み得る。例えば、複数のＲＦ回路２３２７は複数のアンテナ素子に共用される。図２３は無線通信インタフェース２３２５に複数のＢＢプロセッサ２３２６と複数のＲＦ回路２３２７とを含む例を示したが、無線通信インタフェース２３２５は単一のＢＢプロセッサ２３２６又は単一のＲＦ回路２３２７を含んでもよい。
【０１６１】
図１７に示すｅＮＢ２３００において、図１４を使用し記述された送受信装置１４２０は、無線通信インタフェース２３２５により実現されてもよい。図１２と図１４を参照して記述されたそれぞれのユニットの機能の少なくとも一部はコントローラ２３２１により実現されてもよい。例えば、コントローラ２３２１は、メモリ２３２２に記憶されているプログラムを実行することで図１２と図１４を参照して記述されたそれぞれのユニットの機能の少なくとも一部を実行することができる。
【０１６２】
以上で、本発明の具体的な実施例の記述において、一種の実施形態に対して記述及び／又は示す特徴は、同一又は類似の方式で一つ又は複数の他の実施形態に使用され、他の実施形態における特徴と組合せ、又は他の実施形態における特徴を置き換えることができる。
【０１６３】
なお、用語「含む／包含」は、本文で使用される際に、特徴、要素、ステップ又はコンポーネントの存在を指すが、一つ又は複数の他の特徴、要素、ステップ又はコンポーネントの存在又は添加を排除しない。
【０１６４】
上記の実施例と例において、数字からなる符号を用いてそれぞれのステップ及び／又はユニットを示した。当業者であれば、これらの符号は、記述と製図を便宜に行うために、その順序又はいかなる他の限定を示すことはない。
【０１６５】
また、本発明の方法は、明細書に記述される時間順に従って実行することを限定せず、他の時間順に従って、並行又は独立に実行されることが可能である。従って、本明細書に記述される方法の実行順は、本発明の技術的範囲を制限しない。
【０１６６】
以上に本発明の具体的な実施例に対する記述にて本発明を開示したが、上記の全ての実施例と例は例示的であり、制限しないと理解される。当業者は付随する特許請求の精神と範囲において、本発明に対する各種の修正、改進または均等物を設計することができる。これらの修正、改進または均等物も本発明の保護範囲に該当することは明らかである。
【図１】
2018519693.tif 000003
【図２】
2018519693.tif 000004
【図３】
2018519693.tif 000005
【図４】
2018519693.tif 000006
【図５】
2018519693.tif 000007
【図６】
2018519693.tif 000008
【図７】
2018519693.tif 000009
【図８】
2018519693.tif 000010
【図９】
2018519693.tif 000011
【図１０】
2018519693.tif 000012
【図１１】
2018519693.tif 000013
【図１２】
2018519693.tif 000014
【図１３】
2018519693.tif 000015
【図１４】
2018519693.tif 000016
【図１５】
2018519693.tif 000017
【図１６】
2018519693.tif 000018
【図１７】
2018519693.tif 000019
【図１８】
2018519693.tif 000020
【図１９】
2018519693.tif 000021
【図２０】
2018519693.tif 000022
【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
ユーザ機器側に用いられる無線通信装置であって、
他のユーザ機器からの同期信号に付加された前記他のユーザ機器の、第１のタイプ及び第２のタイプを含むタイプに関する指示情報を確定し、
前記指示情報に基づいて、当該他のユーザ機器に対する前記ユーザ機器の相応するデバイス・ツー・デバイス通信操作を確定するように配置されている一つ又は複数のプロセッサを含む無線通信装置。
【請求項２】
前記一つ又は複数のプロセッサは、前記同期信号に応じて、それに含まれている同期信号配列を確定するとともに、前記同期信号配列に対応するルートインデックスに基づいて、前記他のユーザ機器が第１のタイプの機器であるか第２のタイプの機器であるかを確定するように配置されている請求項１に記載の無線通信装置。
【請求項３】
前記第２のタイプを有する第２のタイプの機器は、デバイス・ツー・デバイス通信において、前記第１のタイプを有する第１のタイプの機器の中継により通信サービスを得ることができ、前記一つ又は複数のプロセッサは、前記指示情報に基づいて、前記他のユーザ機器が前記第１のタイプの機器であると確定した場合に前記他のユーザ機器に対するアクセス要求情報を生成するように配置されている請求項２に記載の無線通信装置。
【請求項４】
前記第１のタイプを有する第１のタイプの機器は、デバイス・ツー・デバイス通信において、前記第２のタイプを有する第２のタイプの機器の同期参照とすることができ、前記一つ又は複数のプロセッサは、前記指示情報に基づいて、前記他のユーザ機器が第１のタイプの機器であると確定した場合に前記他のユーザ機器と同期を行うように配置されている請求項２に記載の無線通信装置。
【請求項５】
前記第１のタイプを有する第１のタイプの機器が伝送するデバイス・ツー・デバイス通信内容は、前記第２のタイプを有する第２のタイプの機器の通信内容より優先度が高く、前記一つ又は複数のプロセッサは、前記指示情報に基づいて、前記他のユーザ機器が第１のタイプの機器であると確定した場合に、前記他のユーザ機器が伝送するデータを優先して読み取るように配置されている請求項２に記載の無線通信装置。
【請求項６】
前記一つ又は複数のプロセッサは、前記他のユーザ機器が免許不要帯域での同期信号に付加された前記指示情報を確定するように配置され、前記同期信号配列に対応するルートインデックスは、セルに用いられる同期信号配列に対応するルートインデックスを含んでいる請求項２〜５のいずれか一項に記載の無線通信装置。
【請求項７】
前記一つ又は複数のプロセッサは、前記同期信号に基づいて、前記他のユーザ機器のモニタタイミングを確定して、前記モニタタイミングに応じて前記アクセス要求情報の送信を制御するために用いられるように配置されている請求項３に記載の無線通信装置。
【請求項８】
前記モニタタイミングは、前記同期信号のタイミングから所定の時間間隔の後に確定される請求項７に記載の無線通信装置。
【請求項９】
前記一つ又は複数のプロセッサは、
前記他のユーザ機器の前記同期信号に基づいて前記他のユーザ機器の識別子を確定し、
前記他のユーザ機器の識別子に基づいて前記所定の時間間隔を確定するように配置されている請求項８に記載の無線通信装置。
【請求項１０】
前記一つ又は複数のプロセッサは、前記他のユーザ機器の前記同期信号に基づいて前記他のユーザ機器の識別子を確定するように配置され、
生成したアクセス要求情報は、前記他のユーザ機器の識別子を含んでいる請求項３に記載の無線通信装置。
【請求項１１】
前記無線通信装置は、前記ユーザ機器として作動し、
前記無線通信装置は、免許不要帯域で前記他のユーザ機器からの同期信号を受信するように配置されている送受信装置をさらに含む請求項１−５のいずれか一項に記載の無線通信装置。
【請求項１２】
前記一つ又は複数のプロセッサは、サービングセルからのブロードキャスト情報に応じて前記免許不要帯域を確定するように配置されている請求項１１に記載の無線通信装置。
【請求項１３】
前記通信サービスは、セルラネットワークへの接続、及び無線ネットワークへの接続を含む請求項３に記載の無線通信装置。
【請求項１４】
前記一つ又は複数のプロセッサは、アクティベーション要求情報を生成して、前記ユーザを第２のタイプの機器として指定するようにサービングセルに要求するために用いられるように配置されている請求項３に記載の無線通信装置。
【請求項１５】
前記アクティベーション要求情報は、前記ユーザ機器の機器識別子と、前記ユーザ機器の位置情報とを含んでいる請求項１４に記載の無線通信装置。
【請求項１６】
前記ユーザ機器はサービング基地局のカバー範囲以外に位置している場合に、前記一つ又は複数のプロセッサは、所定のルートインデックス集合からルートインデックスを選択し、当該ルートインデックスに基づいて前記ユーザ機器の同期信号を生成するように配置されている請求項１−５のいずれか一項に記載の無線通信装置。
【請求項１７】
前記一つ又は複数のプロセッサは、前記ユーザ機器の通信品質が所定のレベルより低い場合に、前記他のユーザ機器の同期信号の検出をトリガーするように配置されている請求項１−５のいずれか一項に記載の無線通信装置。
【請求項１８】
前記一つ又は複数のプロセッサは、複数のアクセス可能なユーザ機器がある場合に、
アクセス可能なユーザ機器が中継する通信サービスのタイプと、
アクセス可能なユーザ機器のネットワーク接続品質と、
アクセス可能なユーザ機器との間の距離と、
アクセス可能なユーザ機器からの信号の品質と、のうち一つ又は複数に基づいて、アクセスしようとするユーザ機器を確定するように配置されている請求項１−５のいずれか一項に記載の無線通信装置。
【請求項１９】
ユーザ機器側に用いられる無線通信装置であって、
前記ユーザ機器のデバイス・ツー・デバイス通信ニーズと、前記ユーザ機器のタイプとを確定し、
デバイス・ツー・デバイス通信に用いられる同期信号を生成し、
前記デバイス・ツー・デバイス通信により、他のユーザ機器の同期に用いられる前記同期信号を送信するように配置されている一つ又は複数のプロセッサを含み、
前記タイプは第１のタイプ及び第２のタイプを含み、且つ前記第１のタイプは前記第２のタイプと異なる無線通信装置。
【請求項２０】
基地局側に用いられる無線通信装置であって、
前記基地局がサービングするユーザ機器のタイプを確定し、
前記ユーザ機器のタイプに基づいて、前記ユーザ機器のためにそれが利用可能な同期信号配列に対応するルートインデックスに関する情報を確定するように配置されている一つ又は複数のプロセッサを含み、
前記タイプは、第１のタイプ及び第２のタイプを含み、異なるタイプのユーザ機器が利用可能な同期信号ルートインデックスは異なる集合に属する無線通信装置。
【国際調査報告】
2018519693.tif 000023
2018519693.tif 000024
2018519693.tif 000025
2018519693.tif 000026